(57)【特許請求の範囲】
【請求項１】
データ送信のための複数のキャリアに関係する複数のダウンリンクリソース許可を受信することと、
前記複数のダウンリンクリソース許可の各々に関係するダウンリンク割当てインデックス（ＤＡＩ）を取得することと、
前記複数のダウンリンクリソース許可の各々に関係する前記ＤＡＩに少なくとも部分的に基づいて１つまたは複数の紛失ダウンリンクリソース許可を判断することとを備え、
１つまたは複数の紛失ダウンリンクリソース許可を前記判断することが、
アクセスポイントによって送信されたリソース許可の総数を前記ＤＡＩから判断することと、
前記複数のダウンリンクリソース許可の総数と、前記アクセスポイントによって送信されたリソース許可の前記総数とに基づいて１つまたは複数の比較を実行することと
を含み、
リソース許可の前記総数が、所与のサブフレーム中の前記複数のキャリアにわたるリソース許可の前記総数、前記複数のキャリアのうちの少なくとも１つのための、複数のサブフレームにわたるリソース許可の前記総数、または前記複数のキャリアおよび前記複数のサブフレームにわたるリソース許可の前記総数を指す方法。
【請求項２】
前記１つまたは複数の紛失ダウンリンクリソース許可についての否定応答フィードバックパラメータを示すことをさらに備える、請求項１に記載の方法。
【請求項３】
１つまたは複数の紛失ダウンリンクリソース許可を前記判断することが、
前記複数のダウンリンクリソース許可の各々に関係する前記ＤＡＩから、前記複数のダウンリンクリソース許可の各々のシーケンス番号を判断することと、
前記複数のダウンリンクリソース許可の各々の前記シーケンス番号に少なくとも部分的に基づいて、１つまたは複数の紛失ダウンリンクリソース許可に関係する不在シーケンス番号を検出することと
を含む、請求項１に記載の方法。
【請求項４】
データ送信のための複数のキャリアに関係する複数のダウンリンクリソース許可を受信することと、
前記複数のダウンリンクリソース許可の各々に関係するダウンリンク割当てインデックス（ＤＡＩ）を取得することと、
前記複数のダウンリンクリソース許可の各々に関係する前記ＤＡＩに少なくとも部分的に基づいて１つまたは複数の紛失ダウンリンクリソース許可を判断することと
を行うように構成された少なくとも１つのプロセッサと、
前記少なくとも１つのプロセッサに結合されたメモリと
を備え、
前記１つまたは複数の紛失ダウンリンクリソース許可を判断することが、
アクセスポイントによって送信されたリソース許可の総数を前記ＤＡＩから判断することと、
前記複数のダウンリンクリソース許可の総数と、前記アクセスポイントによって送信されたリソース許可の前記総数とに基づいて１つまたは複数の比較を実行することと
を含み、
リソース許可の前記総数が、所与のサブフレーム中の前記複数のキャリアにわたるリソース許可の前記総数、前記複数のキャリアのうちの少なくとも１つのための、複数のサブフレームにわたるリソース許可の前記総数、または前記複数のキャリアおよび前記複数のサブフレームにわたるリソース許可の前記総数を指すワイヤレス通信装置。
【請求項５】
前記少なくとも１つのプロセッサが、前記１つまたは複数の紛失ダウンリンクリソース許可についての否定応答フィードバックパラメータを示すようにさらに構成される、請求項４に記載の装置。
【請求項６】
前記少なくとも１つのプロセッサが、
前記複数のダウンリンクリソース許可の各々に関係する前記ＤＡＩから、前記複数のダウンリンクリソース許可の各々のシーケンス番号を判断することと、
前記複数のダウンリンクリソース許可の各々の前記シーケンス番号に少なくとも部分的に基づいて、１つまたは複数の紛失ダウンリンクリソース許可に関係する不在シーケンス番号を検出することと
を行うようにさらに構成される、請求項４に記載の装置。
【請求項７】
データ送信のための複数のキャリアに関係する複数のダウンリンクリソース許可を受信する手段と、
前記複数のダウンリンクリソース許可の各々に関係するダウンリンク割当てインデックス（ＤＡＩ）を取得する手段と、
前記複数のダウンリンクリソース許可の各々に関係する前記ＤＡＩに少なくとも部分的に基づいて１つまたは複数の紛失ダウンリンクリソース許可を判断する手段と
を備え、
１つまたは複数の紛失ダウンリンクリソース許可を前記判断する手段が、
アクセスポイントによって送信されたリソース許可の総数を前記ＤＡＩから判断する手段と、
前記複数のダウンリンクリソース許可の総数と、前記アクセスポイントによって送信されたリソース許可の前記総数とに基づいて１つまたは複数の比較を実行する手段と
を含み、
リソース許可の前記総数が、所与のサブフレーム中の前記複数のキャリアにわたるリソース許可の前記総数、前記複数のキャリアのうちの少なくとも１つのための、複数のサブフレームにわたるリソース許可の前記総数、または前記複数のキャリアおよび前記複数のサブフレームにわたるリソース許可の前記総数を指す装置。
【請求項８】
前記１つまたは複数の紛失ダウンリンクリソース許可についての否定応答フィードバックパラメータを示す手段をさらに備える、請求項７に記載の装置。
【請求項９】
１つまたは複数の紛失ダウンリンクリソース許可を前記判断する手段が、
前記複数のダウンリンクリソース許可の各々に関係する前記ＤＡＩから、前記複数のダウンリンクリソース許可の各々のシーケンス番号を判断する手段と、
前記複数のダウンリンクリソース許可の各々の前記シーケンス番号に少なくとも部分的に基づいて、１つまたは複数の紛失ダウンリンクリソース許可に関係する不在シーケンス番号を検出する手段と
を含む、請求項７に記載の装置。
【請求項１０】
少なくとも１つのコンピュータに、データ送信のための複数のキャリアに関係する複数のダウンリンクリソース許可を受信させるためのコードと、
前記少なくとも１つのコンピュータに、前記複数のダウンリンクリソース許可の各々に関係するダウンリンク割当てインデックス（ＤＡＩ）を取得させるためのコードと、
前記少なくとも１つのコンピュータに、前記複数のダウンリンクリソース許可の各々に関係する前記ＤＡＩに少なくとも部分的に基づいて１つまたは複数の紛失ダウンリンクリソース許可を判断させるためのコードと
を備え、
前記少なくとも１つのコンピュータに１つまたは複数の紛失ダウンリンクリソース許可を前記判断させるためのコードが、
前記少なくとも１つのコンピュータに、アクセスポイントによって送信されたリソース許可の総数を前記ＤＡＩから判断させるためのコードと、
前記少なくとも１つのコンピュータに、前記複数のダウンリンクリソース許可の総数と、前記アクセスポイントによって送信されたリソース許可の前記総数とに基づいて１つまたは複数の比較を実行させるためのコードと
を含み、
リソース許可の前記総数が、所与のサブフレーム中の前記複数のキャリアにわたるリソース許可の前記総数、前記複数のキャリアのうちの少なくとも１つのための、複数のサブフレームにわたるリソース許可の前記総数、または前記複数のキャリアおよび前記複数のサブフレームにわたるリソース許可の前記総数を指すコンピュータ可読記録媒体。
【請求項１１】
前記少なくとも１つのコンピュータに、前記１つまたは複数の紛失ダウンリンクリソース許可についての否定応答フィードバックパラメータを示させるためのコードをさらに備える、請求項１０に記載のコンピュータ可読記録媒体。
【請求項１２】
前記少なくとも１つのコンピュータに１つまたは複数の紛失ダウンリンクリソース許可を前記判断させるためのコードが、
前記少なくとも１つのコンピュータに、前記複数のダウンリンクリソース許可の各々に関係する前記ＤＡＩから、前記複数のダウンリンクリソース許可の各々のシーケンス番号を判断させるためのコードと、
前記少なくとも１つのコンピュータに、前記複数のダウンリンクリソース許可の各々の前記シーケンス番号に少なくとも部分的に基づいて、１つまたは複数の紛失ダウンリンクリソース許可に関係する不在シーケンス番号を検出させるためのコードと
を含む、請求項１０に記載のコンピュータ可読記録媒体。
【請求項１３】
１つまたは複数の追加のフィードバックパラメータとともに前記否定応答フィードバックパラメータをデバイスに送信することをさらに備え、前記複数のダウンリンクリソース許可が前記デバイスから受信される、請求項２に記載の方法。
【請求項１４】
前記１つまたは複数の追加のフィードバックパラメータとともに前記否定応答フィードバックパラメータを前記送信することが、関係するアップリンク通信を前記デバイスに送信する際に利用される１つまたは複数の巡回シフトまたは直交系列によって表されるビット中で前記否定応答フィードバックパラメータと前記１つまたは複数の追加のフィードバックパラメータとを示すことを含む、請求項１３に記載の方法。
【請求項１５】
前記複数のダウンリンクリソース許可の各々の前記シーケンス番号を前記判断することが、前記複数のダウンリンクリソース許可の各々に関係する前記ＤＡＩに少なくとも部分的に基づいて、マッピングまたは関数を適用することを含む、請求項３に記載の方法。
【請求項１６】
前記複数のダウンリンクリソース許可の各々の前記シーケンス番号が、前記複数のキャリアにわたる前記複数のダウンリンクリソース許可内の各ダウンリンクリソース許可のシーケンスに関係する、請求項３に記載の方法。
【請求項１７】
前記複数のダウンリンクリソース許可を前記受信することが、複数のサブフレームにわたる前記複数のキャリアに関係する前記複数のダウンリンクリソース許可を受信することを含む、請求項３に記載の方法。
【請求項１８】
前記複数のダウンリンクリソース許可の各々の前記シーケンス番号が、前記複数のサブフレーム上の前記複数のキャリアの各独立したキャリアに関する、前記複数のダウンリンクリソース許可内の各ダウンリンクリソース許可のシーケンスに関係する、請求項１７に記載の方法。
【請求項１９】
前記複数のダウンリンクリソース許可の各々の前記シーケンス番号が、前記複数のサブフレームの各々中の前記複数のキャリアにわたる、前記複数のダウンリンクリソース許可内の各ダウンリンクリソース許可のシーケンスに関係する、請求項１７に記載の方法。
【請求項２０】
１つまたは複数の紛失ダウンリンクリソース許可を前記判断することが、
アクセスポイントによって送信されたリソース許可の総数を前記ＤＡＩから判断することと、
前記アクセスポイントによって送信されたリソース許可の前記総数にさらに部分的に基づいて、前記１つまたは複数の紛失ダウンリンクリソース許可に関係する前記不在シーケンス番号を検出することと
をさらに含む、請求項３に記載の方法。
【請求項２１】
前記少なくとも１つのプロセッサが、１つまたは複数の追加のフィードバックパラメータとともに前記否定応答フィードバックパラメータをアクセスポイントに送信するようにさらに構成された、請求項５に記載のワイヤレス通信装置。
【請求項２２】
前記否定応答フィードバックパラメータを示すための前記手段が、１つまたは複数の追加のフィードバックパラメータとともに前記否定応答フィードバックパラメータをアクセスポイントに送信するための手段を含む、請求項８に記載の装置。
【請求項２３】
前記少なくとも１つのコンピュータに、１つまたは複数の追加のフィードバックパラメータとともに前記否定応答フィードバックパラメータをアクセスポイントに送信させるためのコードをさらに備える、請求項１１に記載のコンピュータ可読記録媒体。
【請求項２４】
データ送信のための複数のキャリアに関係する複数のダウンリンクリソース許可を取得するように構成されたダウンリンク許可受信構成要素と、
前記複数のダウンリンクリソース許可のうちの少なくとも１つのダウンリンク割当てインデックス（ＤＡＩ）に少なくとも部分的に基づいて１つまたは複数の紛失ダウンリンクリソース許可を検出するように構成された紛失許可判断構成要素と
を備え、
前記紛失許可判断構成要素がさらに、
アクセスポイントによって送信されたリソース許可の総数を前記ＤＡＩから判断し、
前記複数のダウンリンクリソース許可の総数と、前記アクセスポイントによって送信されたリソース許可の前記総数とに基づいて１つまたは複数の比較を実行する
ように構成され、
リソース許可の前記総数が、所与のサブフレーム中の前記複数のキャリアにわたるリソース許可の前記総数、または前記複数のキャリアおよび前記複数のサブフレームにわたるリソース許可の前記総数を指す装置。
【請求項２５】
前記１つまたは複数の紛失ダウンリンクリソース許可に対する否定応答フィードバックパラメータを指定するように構成されたハイブリッド自動再送／要求（ＨＡＲＱ）指示構成要素をさらに備える、請求項２４に記載の装置。
【請求項２６】
前記ＨＡＲＱ指示構成要素が、１つまたは複数の追加のフィードバックパラメータとともに前記否定応答フィードバックパラメータをアクセスポイントに送信するようにさらに構成される、請求項２５に記載の装置。
【請求項２７】
否定応答を示すダウンリンクリソース許可の前の肯定応答を示す最後のダウンリンクリソース許可に関係するフィードバックリソース上で肯定応答を送信することをさらに備える、請求項２に記載の方法。
【請求項２８】
前記少なくとも１つのプロセッサは、否定応答を示すダウンリンクリソース許可の前の肯定応答を示す最後のダウンリンクリソース許可に関係するフィードバックリソース上で肯定応答を送信するようにさらに構成される、請求項４に記載のワイヤレス通信装置。
【請求項２９】
否定応答を示すダウンリンクリソース許可の前の肯定応答を示す最後のダウンリンクリソース許可に関係するフィードバックリソース上で肯定応答を送信するための手段をさらに備える、請求項７に記載の装置。
【請求項３０】
前記少なくとも１つのコンピュータに、否定応答を示すダウンリンクリソース許可の前の肯定応答を示す最後のダウンリンクリソース許可に関係するフィードバックリソース上で肯定応答を送信させるためのコードをさらに備える、請求項１０に記載のコンピュータ可読記録媒体。
【請求項３１】
否定応答を示すダウンリンクリソース許可の前の肯定応答を示す最後のダウンリンクリソース許可に関係するフィードバックリソース上で肯定応答を送信するように構成された送信構成要素をさらに備える、請求項２４に記載の装置。
【発明の詳細な説明】
【技術分野】
【０００１】
［相互参照］
本出願は、その全体が参照により本明細書に組み込まれる、２００９年５月７日に出願された「MULTICARRIER UL HARQ FEEDBACK DESIGN」と題する米国仮出願第６１／１７６，４７０号の利益を主張する。
【背景技術】
【０００２】
［分野］
本開示は、一般にワイヤレス通信に関し、より詳細には、再送信に関係するフィードバックを通信することに関する。
【０００３】
［背景］
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ  ｌｏｎｇ  ｔｅｒｍ  ｅｖｏｌｕｔｉｏｎ（ＬＴＥ）、ウルトラモバイルブロードバンド（ＵＭＢ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数のアクセスポイント（たとえば、基地局、フェムトセル、ピコセル、中継ノードなど）と通信し得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／またはアクセスポイントは他のアクセスポイントと）通信することができる。
【０００５】
さらに、アクセスポイントは、アップリンクおよび／またはダウンリンク接続を介してモバイルデバイスと通信するために、モバイルデバイスにリソースを割り当てることができる。一例では、アクセスポイントは、モバイルデバイスに送信するための、キャリアに関係するダウンリンクリソースを割り当てることができる。モバイルデバイスは、リソース上で送信を受信することに関するフィードバックを与えることができる。フィードバックは、一例では、自動再送／要求（ＡＲＱ;automatic repeat/request）、ハイブリッドＡＲＱ（ＨＡＲＱ）など、再送信技術に関係することができる。別の例では、アクセスポイントは、（たとえば、通信スループットを改善するために）１つまたは複数のモバイルデバイスへのマルチキャリアリソース割当てを与えることができる。この例では、モバイルデバイスは、マルチキャリアリソース割当て中の各キャリアに関するフィードバックをアクセスポイントに通信することができる。
【発明の概要】
【０００６】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【０００７】
１つまたは複数の実施形態およびその対応する開示に従って、マルチキャリアリソース割当てに関連するフィードバックを通信することを可能にすることに関する様々な態様について説明する。一例では、フィードバックのためのリソースは、１つまたは複数のマッピング方式を使用してマルチキャリアリソース割当て中のキャリアに対してマッピングされ得る。ただし、いくつかのマッピング方式は、ダウンリンクリソース割当てが受信されたかどうかについて曖昧さを生じることがある。シングルキャリア周波数分割多元接続（ＳＣ−ＦＤＭＡ）では、たとえば、消失したダウンリンクリソース許可（down link resource grants)を検出することを可能にするために、ダウンリンク割当てインデックス（ＤＡＩ;downlink assignment index）が活用され得る。その上、緩和ＳＣ−ＦＤＭＡ（relaxed SC-FDMA）では、たとえば、関係するデバイス上で電力要件を満たすために、複数のキャリアのためのフィードバックがバンドル（bundling)され得る。同様に、この例では、紛失ダウンリンクリソース許可（lost downlink resource grants）を検出するために、ＤＡＩが利用され得る。
【０００８】
関係する態様によれば、データ送信のための複数のキャリアに関係する複数のダウンリンクリソース許可を受信することと、複数のダウンリンクリソース許可の各々に関係するＤＡＩを取得することとを含む方法が提供される。本方法は、複数のダウンリンクリソース許可の各々に関係するＤＡＩに少なくとも部分的に基づいて１つまたは複数の紛失ダウンリンクリソース許可を判断することをさらに含む。
【０００９】
別の態様は、ワイヤレス通信装置に関する。ワイヤレス通信装置は、複数のキャリアに関係する複数のダウンリンクリソース許可を取得し、複数のダウンリンクリソース許可のうちの少なくとも１つに関係するＤＡＩを判断するように構成された少なくとも１つのプロセッサを含むことができる。少なくとも１つのプロセッサは、ＤＡＩに少なくとも部分的に基づいて１つまたは複数の紛失ダウンリンクリソース許可を検出するようにさらに構成される。本ワイヤレス通信装置はまた、少なくとも１つのプロセッサに結合されたメモリを備える。
【００１０】
さらに別の態様は装置に関する。本装置は、データ送信のための複数のキャリアに関係する複数のダウンリンクリソース許可を受信するための手段を含む。本装置はまた、複数のダウンリンクリソース許可のうちの少なくとも１つのためのＤＡＩに少なくとも部分的に基づいて１つまたは複数の紛失ダウンリンクリソース許可を検出するための手段を含む。
【００１１】
さらに別の態様は、少なくとも１つのコンピュータに、複数のキャリアに関係する複数のダウンリンクリソース許可を取得させるためのコードと、少なくとも１つのコンピュータに、複数のダウンリンクリソース許可のうちの少なくとも１つに関係するＤＡＩを判断させるためのコードとを含むコンピュータ可読媒体を有することができるコンピュータプログラム製品に関する。コンピュータ可読媒体はまた、少なくとも１つのコンピュータに、ＤＡＩに少なくとも部分的に基づいて１つまたは複数の紛失ダウンリンクリソース許可を検出させるためのコードを備えることができる。
【００１２】
その上、追加の態様は、データ送信のための複数のキャリアに関係する複数のダウンリンクリソース許可を取得するダウンリンク許可受信構成要素を含む装置に関する。本装置は、複数のダウンリンクリソース許可のうちの少なくとも１つのためのＤＡＩに少なくとも部分的に基づいて１つまたは複数の紛失ダウンリンクリソース許可を検出する紛失許可判断構成要素をさらに含むことができる。
【００１３】
別の態様によれば、データ送信のための複数のキャリアに関係する複数のダウンリンクリソース許可を受信することと、電力要件に少なくとも部分的に基づいて、複数のダウンリンクリソース許可に関係する複数のフィードバックパラメータを与えるためのフォーマットを判断することとを含む方法が提供される。本方法は、フォーマットに少なくとも部分的に基づいて複数のフィードバックパラメータのうちの１つまたは複数を送信することをさらに含む。
【００１４】
別の態様は、ワイヤレス通信装置に関する。ワイヤレス通信装置は、データ送信のための複数のキャリアに関係する複数のダウンリンクリソース許可を取得することと、電力要件に少なくとも部分的に基づいて、複数のダウンリンクリソース許可に関係する複数のフィードバックパラメータを与えるためのフォーマットを選択することとを行うように構成された少なくとも１つのプロセッサを含むことができる。少なくとも１つのプロセッサは、フォーマットに少なくとも部分的に基づいて、複数のダウンリンクリソース許可についての複数のフィードバックパラメータのうちの１つまたは複数を送信するように構成される。本ワイヤレス通信装置はまた、少なくとも１つのプロセッサに結合されたメモリを備える。
【００１５】
さらに別の態様は装置に関する。本装置は、データ送信のための複数のキャリアに関係する複数のダウンリンクリソース許可を受信するための手段と、電力要件に少なくとも部分的に基づいて、複数のダウンリンクリソース許可に関係する複数のフィードバックパラメータを与えるためのフォーマットを判断するための手段とを含む。本装置はまた、フォーマットに少なくとも部分的に基づいて、複数のフィードバックパラメータのうちの１つまたは複数を送信するための手段を含む。
【００１６】
さらに別の態様は、少なくとも１つのコンピュータに、データ送信のための複数のキャリアに関係する複数のダウンリンクリソース許可を取得させるためのコードと、少なくとも１つのコンピュータに、電力要件に少なくとも部分的に基づいて、複数のダウンリンクリソース許可に関係する複数のフィードバックパラメータを与えるためのフォーマットを選択させるためのコードとを含むコンピュータ可読媒体を有することができるコンピュータプログラム製品に関する。コンピュータ可読媒体はまた、少なくとも１つのコンピュータに、フォーマットに少なくとも部分的に基づいて、複数のダウンリンクリソース許可についての複数のフィードバックパラメータのうちの１つまたは複数を送信させるためのコードを備えることができる。
【００１７】
その上、追加の態様は、データ送信のための複数のキャリアに関係する複数のダウンリンクリソース許可を取得するダウンリンク許可受信構成要素と、電力要件に少なくとも部分的に基づいて、複数のダウンリンクリソース許可に関係する複数のフィードバックパラメータを与えるためのフォーマットを判断するハイブリッド自動再送／要求（ＨＡＲＱ）フォーマット選択構成要素とを含む装置に関する。本装置は、フォーマットに少なくとも部分的に基づいて、複数のフィードバックパラメータのうちの１つまたは複数を送信するＨＡＲＱ指示構成要素をさらに含むことができる。
【００１８】
さらに別の態様によれば、デバイスがそれと通信することを可能にするために複数のダウンリンクリソース許可を生成することを含む方法を提供する。本方法はまた、複数のダウンリンクリソース許可のうちの少なくとも１つのＤＡＩを利用することによって複数のダウンリンクリソース許可のうちの少なくとも１つのシーケンス番号または複数のダウンリンクリソース許可の総数を示すことと、複数のダウンリンクリソース許可をデバイスに送信することとを含む。
【００１９】
別の態様は、ワイヤレス通信装置に関する。ワイヤレス通信装置は、デバイスが複数のキャリア上でそれと通信することを可能にするために、複数のダウンリンクリソース許可を作成し、複数のダウンリンクリソース許可の各々のＤＡＩ中の、複数のダウンリンクリソース許可のうちの少なくとも１つのシーケンス番号、または複数のダウンリンクリソース許可の総数を指定するように構成された少なくとも１つのプロセッサを含むことができる。少なくとも１つのプロセッサは、複数のダウンリンクリソース許可をデバイスに通信するようにさらに構成される。本ワイヤレス通信装置はまた、少なくとも１つのプロセッサに結合されたメモリを備える。
【００２０】
さらに別の態様は装置に関する。本装置は、デバイスがそれと通信することを可能にするために、複数のダウンリンクリソース許可を生成するための手段を含む。本装置はまた、複数のダウンリンクリソース許可の各々のＤＡＩ中の、複数のダウンリンクリソース許可のうちの少なくとも１つのシーケンス番号、または複数のダウンリンクリソース許可の総数を示すための手段と、複数のダウンリンクリソース許可をデバイスに送信するための手段とを含む。
【００２１】
さらに別の態様は、少なくとも１つのコンピュータに、デバイスが複数のキャリア上でそれと通信することを可能にするために、複数のダウンリンクリソース許可を作成させるためのコードと、少なくとも１つのコンピュータに、複数のダウンリンクリソース許可の各々のＤＡＩ中の複数のダウンリンクリソース許可のうちの少なくとも１つのシーケンス番号、または複数のダウンリンクリソース許可の総数を指定させるためのコードとを含むコンピュータ可読媒体を有することができるコンピュータプログラム製品に関する。コンピュータ可読媒体はまた、少なくとも１つのコンピュータに、複数のダウンリンクリソース許可をデバイスに通信させるためのコードを備えることができる。
【００２２】
その上、追加の態様は、デバイスがそれと通信することを可能にするために複数のダウンリンクリソース許可を生成するダウンリンク許可作成構成要素と、複数のダウンリンクリソース許可の各々のＤＡＩ中の複数のダウンリンクリソース許可のうちの少なくとも１つのシーケンス番号または複数のダウンリンクリソース許可の総数を示す許可パラメータ指定構成要素とを含む装置に関する。本装置は、複数のダウンリンクリソース許可をデバイスに送信する通信構成要素をさらに含むことができる。
【００２３】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができ得る様々な方法のほんのいくつかを示すものであり、説明する実施形態は、すべてのそのような態様およびそれらの均等物を含むものとする。
【図面の簡単な説明】
【００２４】
【図１】デバイス間の通信のための複数のキャリアを割り当てるためのシステムのブロック図。
【図２】ワイヤレス通信環境内で採用するための例示的な通信装置の図。
【図３】複数のダウンリンクリソース許可に関係するフィードバックを与えるための例示的なワイヤレス通信システムのブロック図。
【図４】フィードバックをバンドルすることとバンドルしないこととの間で切り替える例示的なワイヤレス通信システムのブロック図。
【図５】複数の割り当てられたキャリアに関係するフィードバックを与える例示的なワイヤレス通信ネットワークのブロック図。
【図６】１つまたは複数の紛失ダウンリンクリソース許可を判断する例示的な方法の流れ図。
【図７】フィードバックパラメータをバンドルすべきであるかまたはバンドルすべきでないかを判断する例示的な方法の流れ図。
【図８】示されたシーケンス番号とともにダウンリンクリソース許可を与える例示的な方法の流れ図。
【図９】フィードバックパラメータがバンドルされたかどうかを判断する例示的な方法の流れ図。
【図１０】紛失許可を検出することと、関連するフィードバックを報告することとを可能にする例示的な装置のブロック図。
【図１１】フィードバックパラメータをバンドルすることとバンドルしないこととの間で切り替える例示的な装置のブロック図。
【図１２】与えられたダウンリンクリソース許可にシーケンス番号を割り当てる例示的な装置のブロック図。
【図１３】本明細書で説明する機能の様々な態様を実装するために利用できる例示的なワイヤレス通信デバイスのブロック図。
【図１４】本明細書で説明する機能の様々な態様を実装するために利用できる例示的なワイヤレス通信デバイスのブロック図。
【図１５】本明細書に記載の様々な態様による例示的なワイヤレス多元接続通信システムを示す図。
【図１６】本明細書で説明する様々な態様が機能することができる、例示的なワイヤレス通信システムを示すブロック図。
【発明を実施するための形態】
【００２５】
［詳細な説明］
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００２６】
本出願で使用する「構成要素」、「モジュール」、「システム」などの用語は、コンピュータ関連のエンティティ、すなわち、ハードウェア、ファームウェア、ハードウェアとソフトウェアの組合せ、ソフトウェア、または実行中のソフトウェアのいずれかを指すものとする。たとえば、構成要素は、プロセッサ上で実行されるプロセス、集積回路、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２７】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続することができ、あるいは携帯情報端末（ＰＤＡ）などの自蔵式デバイスとすることができる。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたは進化型ノードＢ（ｅＮＢ））は、１つまたは複数のセクタを通して、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００２８】
その上、本明細書で説明する様々な機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２９】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用され得る。「システム」および「ネットワーク」という用語は、本明細書ではしばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）とＣＤＭＡの他の変形態とを含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。
【００３０】
いくつかのデバイス、構成要素、モジュールなどを含むことができるシステムに関して、様々な態様を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００３１】
次に図面を参照すると、図１に、例示的なワイヤレス通信システム１００と通信するためにデバイスに複数のキャリアを割り当てることを可能にするワイヤレス通信システム１００が示されている。システム１００は、ワイヤレスネットワーク中で通信するワイヤレスデバイス１０２および１０４を含む。ワイヤレスデバイス１０２および１０４は、それぞれ、ＵＥ、モデムもしくは他のテザーデバイス、および／またはその部分などのモバイルデバイス、マクロセルアクセスポイント、フェムトセルもしくはピコセルアクセスポイント、ｅＮＢ、モバイル基地局、および／またはその部分などのアクセスポイント、ならびに／あるいは、別のデバイスと通信し、および／または別のデバイスとの間で通信リソースを割り当て／受信する実質的に任意のデバイスとすることができる。
【００３２】
たとえば、ワイヤレスデバイス１０２および１０４は、１つまたは複数のキャリアを介して通信することができる。一例では、ワイヤレスデバイス１０４は、ワイヤレスデバイス１０４と通信するためのワイヤレスデバイス１０２に１つまたは複数のキャリアを割り当てることができる。図示のように、ワイヤレスデバイス１０４は、Ｎ個のキャリアを備えるマルチキャリア割当てをワイヤレスデバイス１０２に与えることができ、ただし、Ｎは正の整数である。さらに、一例では、ワイヤレスデバイス１０４はワイヤレスデバイス１０２にキャリア１  １０６を割り当てることができ、キャリア１  １０６は、追加のキャリア割当てがその上でワイヤレスデバイス１０２に与えられるアンカーキャリアとすることができる。一例では、複数のキャリアは、ワイヤレスデバイス１０４から単一の割当て中で受信され得、追加または代替として、複数のキャリアは、複数のシングルキャリア割当て中で割り当てられ得る。その上、ワイヤレスデバイス１０４が異種サブフレーム中でワイヤレスデバイス１０２に異種キャリアを割り当てることができるように、キャリア割当てはサブフレーム（subframe)ごととすることができることを諒解されたい。この例では、サブフレームは、定義された周波数リソースのセットを含む時間の一部分を指すことができ、サブフレームは、より大きい時間期間にわたって実質的に同様の周波数リソースを利用するより大きいフレームの一部分とすることができる。３ＧＰＰ  ＬＴＥおよび同様の規格において定義されているように、サブフレームは、経時的な周波数リソースのさらなる分割を表すいくつかの直交周波数分割多重（ＯＦＤＭ）シンボルを備えることができる。いずれの場合も、ワイヤレスデバイス１０２は、各キャリアに関するフィードバックをワイヤレスデバイス１０４に通信することができる。
【００３３】
キャリアに関するフィードバックは、たとえば、自動再送／要求（ＡＲＱ）、ハイブリッドＡＲＱ（ＨＡＲＱ）などの１つまたは複数の再送信方式に関係するフィードバックを含むことができる。ＳＣ−ＦＤＭＡでは、たとえば、ワイヤレスデバイス１０２は、フィードバックを搬送するために巡回シフト（cyclic shift）および／または直交系列(orthogonal sequence)拡散を利用することに少なくとも部分的に基づいて、アップリンク通信リソース上でキャリアの各々についてのフィードバックを通信することができる。緩和ＳＣ−ＦＤＭＡでは、たとえば、ワイヤレスデバイス１０２は、複数のシングルキャリア割当てに関係するそれぞれのダウンリンクリソース許可の第１の制御チャネル要素（ＣＣＥ）ロケーションに少なくとも部分的に基づいて選択された専用リソース上でフィードバックを通信することができる。緩和ＳＣ−ＦＤＭＡにおける単一のマルチキャリア割当ての場合、ワイヤレスデバイス１０２は、それぞれのダウンリンク許可の第１のＣＣＥロケーションから開始する第１のＮ個のＣＣＥに少なくとも部分的に基づいて割り当てられた専用リソース上でフィードバックを通信することができ、ただし、Ｎは、単一のマルチキャリア割当て中のキャリアの数に関係する正の整数とすることができる。
【００３４】
ＳＣ−ＦＤＭＡでは、たとえば、複数のシングルキャリア割当てのための再送信フィードバック（たとえば、肯定応答（ＡＣＫ）、否定応答（ＮＡＣＫ）など）を通信する際に曖昧さが生じることがある。たとえば、シングルキャリア割当てのうちの１つまたは複数が紛失した場合、ワイヤレスデバイス１０２は、関係するフィードバック上でワイヤレスデバイス１０４にＮＡＣＫを通信するか、または何も通信しない。ワイヤレスデバイス１０４は、この点について、ワイヤレスデバイス１０２がキャリアに関係する許可を受信したか（およびこのためにＮＡＣＫを報告しているか）否かを判断することができない。この点について、一例では、ワイヤレスデバイス１０４は、それぞれの複数のシングルキャリア割当て中の複数のダウンリンクリソース許可に関する情報を示すことができる。たとえば、ワイヤレスデバイス１０４は、ダウンリンクリソース許可に関係するインデックスまたは他の識別子を指定するために、ダウンリンクリソース許可中のダウンリンク割当てインデックス（ＤＡＩ）を利用することができる。ＤＡＩは、たとえば、３ＧＰＰ  ＬＴＥ仕様の１つまたは複数リリース中で定義されているＤＡＩ（またはＤＡＩと同様）とすることができる。さらに、たとえば、ワイヤレスデバイス１０４は、ＤＡＩ中のダウンリンクリソース許可の総数に関係するインデックスなど、追加のパラメータを与えることができる。この点について、ワイヤレスデバイス１０２は、許可の数を判断し、許可が紛失したかどうかを適宜に判断し、通信することができる。別の例では、ＳＣ−ＦＤＭＡの場合、巡回シフトおよび／または直交系列パラメータ指示を使用する代わりに、再送信フィードバックリソースが固定ＯＦＤＭシンボルにマッピングされ得、したがって、フィードバックに関する曖昧さは生じない。
【００３５】
緩和ＳＣ−ＦＤＭＡでは、説明したように、ワイヤレスデバイス１０２は、各キャリアにマッピングされたリソース上でフィードバックパラメータを与えることができる。ただし、緩和ＳＣ−ＦＤＭＡは、少なくとも部分的に他のキャリア上での送信のために、フィードバックパラメータをワイヤレスデバイス１０４に与えるために追加の送信電力を必要とすることがある。したがって、ワイヤレスデバイス１０２は、リソースの一部分上で再送信フィードバックパラメータをバンドルすることができ、それにより、送信に必要な電力を少なくすることができる。さらに、ワイヤレスデバイス１０２は、ワイヤレスデバイス１０２の電力要件に応じて、独立したリソース上で再送信フィードバックパラメータを与えることと、より少ない数のリソース上でパラメータをバンドルすることとの間で切り替わることができる。たとえば、再送信フィードバックパラメータをバンドルすることは、リソースのうちの１つの上で、すべての再送信フィードバックパラメータを表す単一の再送信フィードバックパラメータを送信すること（たとえば、すべてのフィードバックがＡＣＫであるときにＡＣＫを送信すること、または少なくとも１つのフィードバックパラメータがＮＡＣＫであるときにＮＡＣＫを送信すること）を含むことができる。別の例では、バンドルすることは、ＮＡＣＫフィードバックを有する第１のキャリアの前の、ＡＣＫフィードバックを有する（たとえば、複数の割り当てられたキャリアのシーケンス中の）最後のキャリアにマッピングされたリソース上でＡＣＫのみを送信することを含むことができる。ただし、そのようなバンドルすることは、さらに、上記で説明した曖昧さのうちの１つまたは複数を受けやすいことがある。したがって、たとえば、同様に上記で説明したように、紛失許可を検出することを可能にするために、ＤＡＩを緩和ＳＣ−ＦＤＭＡに使用することもできる。
【００３６】
次に図２を参照すると、ワイヤレス通信ネットワークに参加することができる通信装置２００が示されている。通信装置２００は、アクセスポイント（たとえば、マクロセル、フェムトセル、またはピコセルアクセスポイント、モバイルアクセスポイント、ｅＮＢ、中継ノードなど）、モバイルデバイス（たとえば、ＵＥ、モデムまたは他のテザーデバイスなど）、その一部分、あるいはワイヤレスネットワーク中で通信する実質的に任意のデバイスとすることができる。通信装置２００は、複数のシングルキャリア割当て、マルチキャリア割当てなどに関係する１つまたは複数のダウンリンクリソース許可を取得するダウンリンク許可受信構成要素２０２と、ダウンリンクリソース許可中に割り当てられたキャリア上で受信される通信に関係するＨＡＲＱフィードバックを示すための１つまたは複数の方式を判断するＨＡＲＱフォーマット選択構成要素２０４とを含むことができる。通信装置２００は、１つまたは複数のキャリア割当てに関係する１つまたは複数のダウンリンクリソース許可が紛失したかどうかを検出する紛失許可判断構成要素２０６、ならびに判断された方式に従ってＨＡＲＱフィードバックを送信するＨＡＲＱ指示構成要素２０８をさらに含む。
【００３７】
一例によれば、ダウンリンク許可受信構成要素２０２は、１つまたは複数のシングルキャリア割当て、マルチキャリア割当てなどに関係する１つまたは複数のダウンリンクリソース許可を取得することができる。たとえば、説明したように、ダウンリンク許可受信構成要素２０２は、ＳＣ−ＦＤＭＡ、緩和ＳＣ−ＦＤＭＡなどに従って１つまたは複数のダウンリンクリソース許可を取得することができる。特定のネットワーク規格では、たとえば、ダウンリンクリソース許可は、（たとえば、３ＧＰＰ  ＬＴＥ規格では）物理ダウンリンク共有チャネル（ＰＤＳＣＨ;physical downlink shared channel）送信の割当て、ダウンリンク半永続的スケジューリング（ＳＰＳ;semi-persistent scheduling）リリースなどに関係することができる。一例では、ダウンリンク許可受信構成要素２０２は、ＳＣ−ＦＤＭＡを使用して異種通信装置（図示せず）と通信するための複数のシングルキャリア割当てに関係する複数のダウンリンクリソース許可を取得することができる。この例では、ＨＡＲＱ指示構成要素２０８は、対応するアップリンク送信に関係する１つまたは複数の巡回シフトおよび／または直交系列パラメータを利用することによって、複数のダウンリンクリソース許可を介して受信されたデータに対するＨＡＲＱフィードバックを指定することができる。したがって、たとえば、ダウンリンクリソース許可を介して受信されたデータに対してＡＣＫを送信すべきか、またはＮＡＣＫを送信すべきかに少なくとも部分的に基づいて、ＨＡＲＱ指示構成要素２０８は、（たとえば、ダウンリンクリソース許可中で受信され得た）対応するアップリンクリソース上で対応する送信を送るときに利用される巡回シフトおよび／または直交系列を変更することができる。
【００３８】
さらに、たとえば、ダウンリンク許可受信構成要素２０２は、１つまたは複数のダウンリンクリソース許可中で指定されるＤＡＩを判断することができ、ＤＡＩは、その許可に関係するインデックスまたは他の識別子を指定するために利用され得る。紛失許可判断構成要素２０６は、ダウンリンクリソース許可が消失したかどうかを判断するために、１つまたは複数のダウンリンクリソース許可中でＤＡＩを利用することができる。たとえば、ＤＡＩは、ダウンリンクリソース許可のインデックスに関係することができる。したがって、たとえば、ＤＡＩ中の許可のシーケンス番号が与えられれば、紛失許可判断構成要素２０６は、シーケンス中のある番号がない場合にダウンリンクリソース許可が消失した（たとえば、ＤＡＩ中で受信されなかった）かどうかを識別することができる。たとえば、シーケンス番号は、他の関係するダウンリンクリソース許可に対するダウンリンクリソース許可のロケーションに対応することができる。ダウンリンクリソース許可が消失した場合、ＨＡＲＱ指示構成要素２０８は、対応するＨＡＲＱリソース上でＮＡＣＫを示すことができるか、または何も示さない。説明したように、これは、巡回シフトおよび／または直交系列を使用して、１つまたは複数のダウンリンクリソース許可に関係する１つまたは複数のビット中に示され得る。別の例では、ＤＡＩは、異種通信装置によって与えられるダウンリンクリソース許可の数のインデックスを指定することができる。この例では、紛失許可判断構成要素２０６は、ＤＡＩ中で連続許可インデックスを受信したが、シーケンス後のインデックスを有するダウンリンクリソース許可が消失した場合、ダウンリンクリソース許可の紛失をさらに判断することができる。たとえば、紛失許可判断構成要素２０６は、複数のダウンリンクリソース許可中のシーケンス番号１〜３を識別することができるが、ＤＡＩ中に４つのリソース許可があるという指示を受信することもできる。この点について、紛失許可判断構成要素２０６は、インデックス４に関係するダウンリンクリソース許可が消失したことを識別することができ、ＨＡＲＱ指示構成要素２０８は、インデックス４をもつダウンリンクリソース許可に対するＨＡＲＱフィードバックに関係するビット上でＮＡＣＫを指定することができるか、または何も指定しない。
【００３９】
別の例に従って、ＨＡＲＱ指示構成要素２０８は、ダウンリンクリソース許可に関係するキャリアの各々に割り振られた固定ＯＦＤＭシンボルを介してＨＡＲＱフィードバックを与えることができる。この例では、ＨＡＲＱ指示構成要素２０８は、ダウンリンクリソース許可が受信されないキャリアのＨＡＲＱフィードバックのために予約されるリソース上でＮＡＣＫを指定することができるか、または何も指定しない。
【００４０】
その上、別の例では、ダウンリンク許可受信構成要素２０２は、緩和ＳＣ−ＦＤＭＡにおいて（たとえば、異種通信装置から）複数のシングルキャリア割当てに関係する複数のダウンリンクリソース許可、マルチキャリア割当てに関係する単一のダウンリンクリソース許可などを取得することができる。この例では、ＨＡＲＱフォーマット選択構成要素２０４は、ＨＡＲＱフィードバックを通信するためのフォーマットを判断することができる。説明したように、たとえば、ＨＡＲＱフォーマット選択構成要素２０４は、通信装置２００についての電力要件に少なくとも部分的に基づいてフォーマットを判断することができる。一例では、ＨＡＲＱフォーマット選択構成要素２０４は、独立したリソース上のキャリア上で受信された通信に対するＨＡＲＱフィードバックをマッピングすることを判断することができる。説明したように、たとえば、ＨＡＲＱフォーマット選択構成要素２０４は、各関係するダウンリンクリソース許可の第１のＣＣＥロケーションに少なくとも部分的に基づいて、複数のシングルキャリア割当てに対するＨＡＲＱフィードバックをマッピングし、それぞれのダウンリンクリソース許可の第１のＣＣＥロケーションから開始する第１のＮ個のＣＣＥに少なくとも部分的に基づいて、単一のマルチキャリア割当てに対してＨＡＲＱフィードバックをマッピングすることなどを判断することができる。
【００４１】
ただし、通信装置２００が電力要件を増大させた場合、ＨＡＲＱフォーマット選択構成要素２０４は、バンドルすることなど、それほど電力を必要としないＨＡＲＱフィードバックパラメータのためのフォーマットを判断することができる。この例では、ＨＡＲＱフォーマット選択構成要素２０４は、キャリアのうちの１つの上でＡＣＫまたはＮＡＣＫを送信するためにＨＡＲＱフィードバックパラメータをバンドルすることを判断することができる。たとえば、ＨＡＲＱフォーマット選択構成要素２０４は、ＨＡＲＱフィードバックが第１のＣＣＥロケーションに関係するリソース上で与えられるフォーマットを選択することができ、そのＨＡＲＱフィードバックは、キャリアの実質的にすべてに対するＨＡＲＱフィードバックに関係する（たとえば、すべてのキャリアに対するＨＡＲＱフィードバックがＡＣＫである場合にはＡＣＫ、キャリアのうちの少なくとも１つがＮＡＣＫフィードバックを有する場合にはＮＡＣＫ）。別の例では、ＨＡＲＱフォーマット選択構成要素２０４は、ＨＡＲＱフィードバックが、ＨＡＲＱフィードバックのためのＡＣＫを有する最後のキャリアに関係するリソース上で与えられるフォーマットを選択することができる。この点について、たとえば、ＨＡＲＱフィードバックを受信する異種通信装置は、ＡＣＫが受信されたリソースに関係するキャリアとすべての前のキャリアとに対するＡＣＫ（および残りのキャリアに対するＮＡＣＫまたは紛失許可）を判断することができる。いずれの場合も、ＨＡＲＱ指示構成要素２０８は、選択されたフォーマットに従ってＨＡＲＱフィードバックパラメータを指定することができる。
【００４２】
さらに、この例では、ＨＡＲＱフォーマット選択構成要素２０４がＡＣＫバンドリングを利用することを判断した場合、前に説明したように、ＨＡＲＱフィードバックリソースがもはや複数のキャリアに対して独立していないので、紛失ダウンリンクリソース許可に対するフィードバックを与える際に曖昧さが生じることがある。したがって、この例では、上記で説明したように、ＨＡＲＱフォーマット選択構成要素２０４がＨＡＲＱフィードバックパラメータについてバンドルすることを指定する場合、紛失許可判断構成要素２０６は、ＤＡＩに基づいて紛失許可を同様に検出することができる。したがって、説明したように、紛失許可判断構成要素２０６は、ダウンリンクリソース許可に関係するＤＡＩ中のシーケンス番号、ＤＡＩ中の総ダウンリンクリソース許可の指定された数などに少なくとも部分的に基づいて、１つまたは複数のダウンリンクリソース許可が紛失したかどうかを判断することができる。
【００４３】
次に図３を参照すると、複数のキャリアに関係するリソースに対するＨＡＲＱフィードバックを通信することを可能にするワイヤレス通信システム３００が示されている。システム３００は、ワイヤレスネットワーク（図示せず）へのアクセスを受信するためにアクセスポイント３０２と通信するワイヤレスデバイス１０２を含む。説明したように、ワイヤレスデバイス１０２は、ワイヤレスネットワークへのアクセスを受信する（たとえば、独立して電力供給されたデバイスだけでなく、モデムをも含む）実質的に任意のタイプの基地局、モバイルデバイス、ＵＥ、その一部分などとすることができる。アクセスポイント３０２は、マクロセルアクセスポイント、フェムトセルアクセスポイント、ピコセルアクセスポイント、中継ノード、モバイル基地局、その一部分、および／またはワイヤレスネットワークへのアクセスを与える実質的に任意のデバイスとすることができる。その上、システム３００はＭＩＭＯシステムとし、および／あるいは１つまたは複数のワイヤレスネットワークシステム規格（たとえば、ＥＶ−ＤＯ、３ＧＰＰ、３ＧＰＰ２、３ＧＰＰ  ＬＴＥ、ＷｉＭＡＸなど）に準拠することができる。さらに、アクセスポイント３０２の構成要素および機能は、ワイヤレスデバイス１０２中に存在することができ、たとえば、同様の機能を与えるために、その逆も同様である。
【００４４】
ワイヤレスデバイス１０２は、複数のシングルキャリア割当て、マルチキャリア割当てなどに関係する１つまたは複数のダウンリンクリソース許可を取得するダウンリンク許可受信構成要素２０２を含むことができる。ワイヤレスデバイス１０２は、１つまたは複数のキャリア割当てに関係する１つまたは複数のダウンリンクリソース許可が紛失したかどうかを検出する紛失許可判断構成要素２０６、ならびに１つまたは複数のダウンリンクリソース許可上で受信されたデータに関係するＨＡＲＱフィードバックを送信するＨＡＲＱ指示構成要素２０８をさらに含む。
【００４５】
アクセスポイント３０２は、デバイスのための複数のシングルキャリア割当て、マルチキャリア割当てなどに関係する１つまたは複数のダウンリンクリソース許可を生成するダウンリンク許可作成構成要素３０４と、１つまたは複数のダウンリンクリソース許可中の１つまたは複数のパラメータを含む許可パラメータ指定構成要素３０６とを備える。アクセスポイント３０２は、１つまたは複数のダウンリンクリソース許可と関係するパラメータとをデバイスに送信する通信構成要素３０８をさらに含む。
【００４６】
一例によれば、ダウンリンク許可作成構成要素３０４は（たとえば、ワイヤレスデバイス１０２からのネットワークアクセスについての要求、アップストリームネットワーク構成要素からの１つまたは複数のコマンドなどに少なくとも部分的に基づいて）複数のキャリアに関係するダウンリンクリソース許可中のダウンリンクリソースを、ワイヤレスデバイス１０２に割り振ることができる。説明したように、一例では、ダウンリンク許可作成構成要素３０４は、ＰＤＳＣＨ割当て、ダウンリンクＳＰＳリリースなどに関係するリソースを割り振ることができる。一例では、ダウンリンク許可作成構成要素３０４は、ＳＣ−ＦＤＭＡ方式に従ってリソースを割り振ることができる。許可パラメータ指定構成要素３０６は、たとえば、ダウンリンクリソース許可が複数のシングルキャリア割当てに関係するダウンリンクリソース許可のグループ中にある場合、許可シーケンス番号または許可の数などの追加情報をダウンリンクリソース許可に関連付けることができる。
【００４７】
たとえば、説明したように、複数のキャリアは、サブフレームごとに、実質的にすべてのサブフレームに対してなど、割り当てられ得る。したがって、たとえば、ダウンリンク許可作成構成要素３０４が実質的に任意のサブフレームに対して複数のキャリアを割り振る場合、許可パラメータ指定構成要素３０６は、シーケンス番号１を割り当てられ得る第１の許可から開始する各許可にシーケンス番号を割り当てることができ、以下同様である。別の例では、ダウンリンク許可作成構成要素３０４が、サブフレームにわたって変動する複数のキャリアに対する許可を生成する場合、許可パラメータ指定構成要素３０６は、サブフレームおよび／またはキャリア内の許可のシーケンスに従って、サブフレームのみにわたる許可にシーケンス番号を割り当て、ならびに／またはサブフレームおよびキャリアにわたる許可にシーケンス番号を割り当てることができる。たとえば、ダウンリンク許可作成構成要素３０４が第１のサブフレーム中のキャリア１および２に対する許可を作成し、第２のサブフレーム中のキャリア２および３に対する許可を作成する場合、許可パラメータ指定構成要素３０６は、第１のサブフレーム中のキャリア１にシーケンス番号１を割り当て、第１のサブフレーム中のキャリア２にシーケンス番号１を割り当て、第２のサブフレーム中のキャリア２にシーケンス番号２を割り当て、第２のサブフレーム中のキャリア３にシーケンス番号１を割り当てることができ、この点について、許可パラメータ指定構成要素３０６は、所与のキャリアのサブフレームにわたるシーケンス番号を割り当てる（キャリアに独立して番号付けする）。サブフレームおよびキャリアにわたってシーケンス番号を割り当てる場合、たとえば、許可パラメータ指定構成要素３０６は、前の例では、第１のサブフレーム中のキャリア１にシーケンス番号１を割り当て、第１のサブフレーム中のキャリア２にシーケンス番号２を割り当て、第２のサブフレーム中のキャリア２にシーケンス番号３を割り当て、第２のサブフレーム中のキャリア３にシーケンス番号４を割り当てることができる。
【００４８】
その上、説明したように、許可パラメータ指定構成要素３０６は、追加または代替として、各許可内の許可の総数を含むことができ、許可の総数は（たとえば、上記で説明した、許可パラメータ指定構成要素３０６によって利用されるシーケンス番号割当てに応じて）所与のサブフレーム中のキャリアにわたる許可の総数、所与のキャリアのサブフレームにわたる許可の総数、またはキャリアおよびサブフレームにわたる許可の総数に基づいて計算され得る。さらに、一例では、許可パラメータ指定構成要素３０６は、関係するダウンリンクリソース許可中のＤＡＩ中のシーケンス番号、許可の総数、および／または追加情報を搬送することができる。たとえば、許可パラメータ指定構成要素３０６は、シーケンス番号への可能なＤＡＩ値のマッピング（たとえば、厳密なマッピング、関数など）、許可の総数、組合せなどに少なくとも部分的に基づいてＤＡＩを判断することができる。通信構成要素３０８は、１つまたは複数のダウンリンクリソース許可をワイヤレスデバイス１０２に送信することができる。
【００４９】
ダウンリンク許可受信構成要素２０２は、アクセスポイント３０２から１つまたは複数のダウンリンクリソース許可を取得することができる。紛失許可判断構成要素２０６は、説明したように、シーケンス番号、関係するグループ中のダウンリンクリソース許可の総数など、１つまたは複数のダウンリンクリソース許可に関する１つまたは複数のパラメータを取得することができる。さらに、たとえば、紛失許可判断構成要素２０６は、ダウンリンクリソース許可のうちの１つまたは複数のＤＡＩから１つまたは複数のパラメータを取得することができる。一例では、これは、ＤＡＩ値をシーケンス番号、許可の総数、組合せなどにマッピングするために、許可パラメータ指定構成要素３０６によって利用される同様のマッピング（たとえば、厳密なマッピング、関数など）を適用することを含むことができる。許可パラメータ指定構成要素３０６および紛失許可判断構成要素２０６は、シーケンス番号情報にＤＡＩをマッピングするためのパラメータを通信し、ハードコーディング、仕様、構成などからそのようなパラメータを取得することなどができることを諒解されたい。
【００５０】
したがって、たとえば（たとえば、ＤＡＩなどから）取得されたシーケンス番号に基づいて消失したシーケンス番号を判断することに少なくとも部分的に基づいて、紛失許可判断構成要素２０６は、ダウンリンクリソース許可のうちの１つまたは複数が紛失した（たとえば、または受信されたダウンリンクリソース許可中に含まれない）かどうかを識別することができる。たとえば、シーケンス番号１および３をもつダウンリンクリソース許可が受信された場合、紛失許可判断構成要素２０６は、少なくとも、シーケンス番号２をもつダウンリンクリソース許可が受信されなかったことを判断することができる。説明したように、シーケンス番号付けは、所与のサブフレーム中の複数ダウンリンクリソース許可中のそれぞれのダウンリンクリソース許可のシーケンス番号、（たとえば、シーケンス番号が所与のキャリアについて独立している場合）複数のサブフレームにわたる各独立したキャリアに関係するシーケンス番号、複数のサブフレーム上のキャリアにわたるシーケンス番号などに関係することができる。さらに、たとえば、紛失許可判断構成要素２０６は、１つまたは複数のダウンリンクリソース許可が紛失したかどうかを判断するために、アクセスポイント３０２によって送信されたダウンリンクリソース許可の数のインデックスを分析することができる。追加または代替として、許可パラメータ指定構成要素３０６は、シングルキャリアダウンリンク制御情報（ＤＣＩ）フォーマット中の追加のビットをさらに必要とすることがある、ＤＡＩ中のダウンリンクリソース許可の総数を、その差分、異種メッセージなどとして示すことができる。説明したように、ダウンリンクリソース許可の総数は、所与のサブフレーム中のキャリアにわたる許可の総数、（たとえば、各キャリアについての総数が他のキャリア上の許可から独立している場合に）各キャリアについてのサブフレームにわたる許可の総数、キャリアおよびサブフレームにわたる許可の総数などに関係することができる。その上、この点について、紛失許可判断構成要素２０６は、受信された許可の数を（たとえば、所与のサブフレーム中で示された総数、サブフレームにわたるキャリアごとに示された総数、サブフレームにわたる複数のキャリア上で示された総数など）示された総数と比較することに少なくとも部分的に基づいて、１つまたは複数のダウンリンクリソース許可が紛失したかどうかを識別することができる。
【００５１】
ＨＡＲＱ指示構成要素２０８は、それを介して受信されたダウンリンクリソース許可および／またはデータに対してＡＣＫまたはＮＡＣＫを指定することができる。一例では、ＨＡＲＱ指示構成要素２０８は、紛失ダウンリンクリソース許可が明示的に判断され得る場合、紛失ダウンリンクリソース許可に関係するＨＡＲＱフィードバックリソースにわたってＮＡＣＫを指定することができるか、または何も指定しない（または紛失ダウンリンクリソース許可が明示的に判断され得ない場合、すべての許可に対してＮＡＣＫを指定することができるか、または何も指定しない）。説明したように、たとえば、ＨＡＲＱ指示構成要素２０８は、データの２つ以上のビットを搬送することを可能にすることができる、関係するアップストリーム通信の巡回シフトおよび／または直交系列拡散に少なくとも部分的に基づいて、ＨＡＲＱフィードバックを指定することができる。この点について、ＨＡＲＱ指示構成要素２０８は、１つまたは複数のダウンリンクリソース許可、それを介して受信されたデータ、１つまたは複数の紛失ダウンリンクリソース許可などに関連付けられ得る少なくとも４つのＨＡＲＱフィードバック値を指定することができる。通信構成要素３０８はＨＡＲＱフィードバックを受信することができる。さらに、ダウンリンク許可作成構成要素３０４は、（たとえば、１つまたは複数のダウンリンクリソース許可を与えた後にＮＡＣＫが示された場合）ＨＡＲＱフィードバックに少なくとも部分的に基づいて、１つまたは複数のダウンリンクリソース許可が紛失したかどうかを判断することができ、したがって、ダウンリンクリソース許可をワイヤレスデバイス１０２に再送信することができる。ＮＡＣＫは、紛失許可ではなく、リソース上で受信されたデータに関係することができるが、ダウンリンク許可作成構成要素３０４は、許可が紛失したと仮定し、許可を再送信することができることを諒解されたい。
【００５２】
別の例では、許可パラメータ指定構成要素３０６は、１つまたは複数のダウンリンクリソース許可に関係するＨＡＲＱフィードバックを送信するために、１つまたは複数のＯＦＤＭシンボルを指定することができ、通信構成要素３０８は、１つまたは複数のＯＦＤＭシンボルに関する情報をワイヤレスデバイス１０２に送信することができる。一例では、これは、アクセスポイント３０２とワイヤレスデバイス１０２との間の別々の通信とすることができる。この点について、ダウンリンク許可受信構成要素２０２はアクセスポイント３０２からダウンリンクリソース許可を取得することができ、上記で説明したように、ダウンリンクリソース許可は、所与のダウンリンクリソース許可をＨＡＲＱフィードバックのためのＯＦＤＭシンボルに関連付けるための識別子または何らかの他のインジケータを含むことができる。この点について、ＨＡＲＱ指示構成要素２０８は、ＯＦＤＭシンボルを使用してリソース許可上で受信されたデータに対するＨＡＲＱフィードバックを指定することができる。アクセスポイント３０２から情報が受信されたＯＦＤＭシンボルに対応する１つまたは複数のダウンリンク許可が受信されない場合、たとえば、ＨＡＲＱ指示構成要素２０８は、関係するＯＦＤＭシンボルを介してＮＡＣＫを送信することができるか、または何も送信しない。
【００５３】
説明したように、ダウンリンク許可作成構成要素３０４は、ＮＡＣＫがＯＦＤＭシンボル上で指定されることを判断することができ、関係するダウンリンクリソース許可を再送信することができる。たとえば、ダウンリンク許可作成構成要素３０４によって作成されたダウンリンクリソース許可の数は、許可パラメータ指定構成要素３０６によって指定されたＯＦＤＭシンボルの数よりも少ないとすることがあり、その場合、ＨＡＲＱ指示構成要素２０８は、関係するダウンリンクリソース許可なしにＯＦＤＭシンボルを介してＮＡＣＫを送信することができることを諒解されたい。さらに、たとえば、アクセスポイント３０２は、基準信号を送信するために利用されるＯＦＤＭシンボルの数を減少させて、追加のシンボルがＨＡＲＱフィードバックパラメータを送信することを可能にすることができる（たとえば、基準信号を送信するために３つのシンボルではなく２つのシンボルを利用し、ＨＡＲＱフィードバックのために５つのシンボルを残す）。
【００５４】
図４を参照すると、複数のキャリア割当てに関係するリソース許可に対するＨＡＲＱフィードバックを通信することを可能にする例示的なワイヤレス通信システム４００が示されている。システム４００は、ワイヤレスネットワーク（図示せず）へのアクセスを受信するためにアクセスポイント３０２と通信するワイヤレスデバイス１０２を含む。説明したように、ワイヤレスデバイス１０２は、ワイヤレスネットワークへのアクセスを受信する（たとえば、独立して電力供給されたデバイスだけでなく、モデムをも含む）実質的に任意のタイプの基地局、モバイルデバイス、ＵＥ、その一部分などとすることができる。アクセスポイント３０２は、マクロセルアクセスポイント、フェムトセルアクセスポイント、ピコセルアクセスポイント、中継ノード、モバイル基地局、その一部分、および／またはワイヤレスネットワークへのアクセスを与える実質的に任意のデバイスとすることができる。その上、システム４００はＭＩＭＯシステムとし、および／あるいは１つまたは複数のワイヤレスネットワークシステム規格（たとえば、ＥＶ−ＤＯ、３ＧＰＰ、３ＧＰＰ２、３ＧＰＰ  ＬＴＥ、ＷｉＭＡＸなど）に準拠することができる。さらに、アクセスポイント３０２の構成要素および機能は、ワイヤレスデバイス１０２中に存在することができ、たとえば、同様の機能を与えるために、その逆も同様である。
【００５５】
ワイヤレスデバイス１０２は、複数のシングルキャリア割当て、マルチキャリア割当てなどに関係する１つまたは複数のダウンリンクリソース許可を取得するダウンリンク許可受信構成要素２０２、ならびにＨＡＲＱフィードバックをバンドルすべきかどうかを判断するＨＡＲＱフォーマット選択構成要素２０４を含むことができる。ワイヤレスデバイス１０２は、１つまたは複数のキャリア割当てに関係する１つまたは複数のダウンリンクリソース許可が紛失したかどうかを検出する紛失許可判断構成要素２０６と、１つまたは複数のダウンリンクリソース許可に関係するＨＡＲＱフィードバックおよび／またはそれを介して受信されたデータを送信するＨＡＲＱ指示構成要素２０８と、キャリアのうちの１つ（または少なくとも一部分）に関係するＨＡＲＱフィードバックリソース上で複数のキャリアに関係するＨＡＲＱフィードバックを組み合わせるＨＡＲＱフィードバックバンドリング構成要素４０２とをさらに含む。
【００５６】
アクセスポイント３０２は、デバイスのための複数のシングルキャリア割当て、マルチキャリア割当てなどに関係する１つまたは複数のダウンリンクリソース許可を作成することができるダウンリンク許可作成構成要素３０４と、１つまたは複数のダウンリンクリソース許可中の１つまたは複数のパラメータを含む許可パラメータ指定構成要素３０６とを備える。アクセスポイント３０２は、１つまたは複数のダウンリンクリソース許可と関係するパラメータとをデバイスに送信する通信構成要素３０８と、デバイスが１つまたは複数のリソース許可に関係するＨＡＲＱフィードバックをバンドルしているかどうかを識別するＨＡＲＱバンドリング判断構成要素４０４とをさらに含む。
【００５７】
一例によれば、ダウンリンク許可作成構成要素３０４は（たとえば、ワイヤレスデバイス１０２からのネットワークアクセスについての要求、アップストリームネットワーク構成要素からの１つまたは複数のコマンドなどに少なくとも部分的に基づいて）複数のキャリアに関係するダウンリンクリソース許可中のダウンリンクリソースを、ワイヤレスデバイス１０２に割り振ることができる。説明したように、ダウンリンクリソース許可は、複数のサブフレームにわたるキャリア、任意のサブフレームにわたるキャリアなどに関係することができる。一例では、（たとえば、複数のリソースが、シングルキャリア上で通信するために、ワイヤレスデバイス１０２によって利用され得る場合）ダウンリンク許可作成構成要素３０４は、緩和ＳＣ−ＦＤＭＡにおいてリソースを割り振ることができる。許可パラメータ指定構成要素３０６は、たとえば、ダウンリンクリソース許可が、複数のシングルキャリア割当てに関係するダウンリンクリソース許可のグループ中にある場合、許可シーケンス番号または許可の数などの追加情報をダウンリンクリソース許可に関連付けることができる。一例では、許可パラメータ指定構成要素３０６は、関係するダウンリンクリソース許可中の所与のＤＡＩ中の追加情報を搬送することができる。説明したように、この情報は、アクセスポイント３０２が、ワイヤレスデバイス１０２がＨＡＲＱフィードバックをバンドルした場合にワイヤレスデバイス１０２が紛失許可に対するフィードバックを搬送しているかどうかを判断するのを支援することができる。通信構成要素３０８は、１つまたは複数のダウンリンクリソース許可をワイヤレスデバイス１０２に送信することができる。
【００５８】
ダウンリンク許可受信構成要素２０２は、アクセスポイント３０２から１つまたは複数のダウンリンクリソース許可を取得することができる。ＨＡＲＱフォーマット選択構成要素２０４は、アクセスポイント３０２に通信するためにＨＡＲＱフィードバックリソースをバンドルすべきかどうかを判断することができる。説明したように、ＨＡＲＱフォーマット選択構成要素２０４は、ワイヤレスデバイス１０２の電力要件に少なくとも部分的に基づいて上述のことを判断することができる。たとえば、ワイヤレスデバイス１０２が電力制限される（たとえば、それがしきい値限界を超えるかどうかを判断するために必要とされる電力を測定することを含むことがある）場合、ＨＡＲＱフォーマット選択構成要素２０４は、ＨＡＲＱフィードバックリソースをバンドルすることを判断することができる。ＨＡＲＱフォーマット選択構成要素２０４がＨＡＲＱフィードバックリソースをバンドルすることを判断した場合、たとえば、紛失許可判断構成要素２０６は、（たとえば、上記で説明したように、ＤＡＩ、他の（１つまたは複数の）パラメータ、アクセスポイント３０２から受信された異種メッセージなどから）それに関係するシーケンス番号、アクセスポイント３０２から送信されたダウンリンクリソース許可の数など、１つまたは複数のダウンリンクリソース許可に関する１つまたは複数のパラメータを取得することができる。
【００５９】
ＨＡＲＱフォーマット選択構成要素２０４は、ＨＡＲＱフィードバックリソースが、この場合対応するダウンリンクリソース許可に直接関係するので、ＨＡＲＱフィードバックリソースをバンドルしないことを判断した場合、紛失許可判断構成要素２０６は、１つまたは複数のダウンリンクリソース許可に関係する追加のパラメータを判断する必要はないことを諒解されたい。したがって、この例では、ダウンリンクリソース許可のうちの１つまたは複数が受信されない場合、関係するＨＡＲＱフィードバックリソース上でＨＡＲＱ指示構成要素２０８によってＮＡＣＫが送信されるか、または何も送信されない。
【００６０】
いずれの場合も、ＨＡＲＱ指示構成要素２０８は、１つまたは複数のダウンリンクリソース許可に関係する（たとえば、関係するリソース上でデータを受信することに関係する）ＨＡＲＱフィードバックを判断することができる。ＨＡＲＱ指示構成要素２０８は、ＨＡＲＱフィードバックパラメータを、１つまたは複数のダウンリンクリソース許可の各々に関係するリソースに関連付けることができ、そのリソースは、１つまたは複数のダウンリンクリソース許可の第１のＣＣＥロケーションに少なくとも部分的に基づくことができる。単一のマルチキャリア許可がダウンリンク許可受信構成要素２０２において受信された場合、たとえば、複数のキャリアに対するＨＡＲＱフィードバックリソースは、説明したように、ダウンリンクリソース許可の第１のＣＣＥロケーションから開始する第１のＮ個のＣＣＥに関連付けられ得る。ＨＡＲＱフォーマット選択構成要素２０４が、ＨＡＲＱフィードバックパラメータをバンドルすることを指定しない場合、説明したように、ＨＡＲＱ指示構成要素２０８は、対応するリソース上でＨＡＲＱフィードバックパラメータを送信することができる。上記で説明したように、通信構成要素３０８は、ＨＡＲＱフィードバックパラメータを受信することができ、ダウンリンク許可作成構成要素３０４は（たとえば、最後の送信がダウンリンクリソース許可である場合に、関係するＨＡＲＱフィードバックリソース上でＮＡＣＫを受信すること、または何も受信しないことに少なくとも部分的に基づいて）１つまたは複数のダウンリンクリソース許可が紛失したかどうかを判断することができる。この場合、説明したように、ダウンリンク許可作成構成要素３０４は、１つまたは複数のダウンリンクリソース許可を再送信することができる。さらに、この例で説明したように、ダウンリンク許可作成構成要素３０４は、ＮＡＣＫが許可が紛失したことを示すことを仮定し、ＮＡＣＫがそれを介したデータに関係することを仮定せず、したがって（たとえば、新規データインジケータ（ＮＤＩ）が真に設定されたデータとともに）関係するダウンリンクリソース許可を再送信する。
【００６１】
ＨＡＲＱフォーマット選択構成要素２０４がＨＡＲＱフィードバックリソースをバンドルすることを判断する場合、ＨＡＲＱフィードバックバンドリング構成要素４０２は、必要とされる送信電力をより少なくするために、ＨＡＲＱフィードバックのためのリソースの一部分上の送信のために、ＨＡＲＱフィードバックパラメータを組み合わせることができる。一例では、ＨＡＲＱフィードバックバンドリング構成要素４０２は、キャリアのうちの１つに関係するリソース上の送信のために、ＨＡＲＱフィードバックパラメータを組み合わせることができる。一例では、ＨＡＲＱフィードバックバンドリング構成要素４０２は、１つまたは複数のダウンリンクリソース許可に対応する第１のキャリア（たとえば、１つまたは複数のダウンリンクリソース許可の第１のＣＣＥロケーション）に関係するリソース上でキャリアに対するすべてのＨＡＲＱフィードバックパラメータを示すＨＡＲＱフィードバックパラメータを送信することができる。説明したように、たとえば、ＨＡＲＱフィードバックバンドリング構成要素４０２は、（ＨＡＲＱ指示構成要素２０８に従って）１つまたは複数のダウンリンクリソース許可に対応するキャリアに対するすべてのＨＡＲＱフィードバックパラメータがＡＣＫである場合にＡＣＫを送信し、ＨＡＲＱフィードバックパラメータのうちの少なくとも１つがＮＡＣＫである場合にＮＡＣＫを送信することができる。したがって、通信構成要素３０８は、リソース上で単一のＨＡＲＱフィードバックパラメータを取得することができ、ＨＡＲＱバンドリング判断構成要素４０４は、ワイヤレスデバイス１０２が１つのＨＡＲＱフィードバックパラメータのみを受信することに少なくとも部分的に基づいて、ＨＡＲＱフィードバックパラメータをバンドルしたことを識別することができる。
【００６２】
この点について、第１のダウンリンクリソース許可に関係するリソース上でＮＡＣＫが受信された場合、ＨＡＲＱバンドリング判断構成要素４０４は、（どの１つがＮＡＣＫに関係するかを知らないので）１つまたは複数のダウンリンクリソース許可の実質的にすべて、または関係するデータをワイヤレスデバイス１０２に再送信することを指定することができる。したがって、たとえば、許可パラメータ指定構成要素３０６が１つまたは複数のダウンリンクリソース許可に関する情報（たとえば、シーケンス番号および／またはグループ中の許可の数）を示したので、紛失許可判断構成要素２０６は、１つまたは複数ダウンリンクリソース許可が紛失したかどうかを判断することができ、関係するＨＡＲＱフィードバックリソース上でＮＡＣＫを指定すること、または何も指定しないことによって、紛失許可を示すことができる。この点について、一例では、第１のダウンリンクリソース許可に関係するＨＡＲＱフィードバックリソース上で受信されたＮＡＣＫまたは何も受信されていないことは、ダウンリンクリソース許可に対する１つまたは複数が紛失したことを示すことができる。ダウンリンク許可作成構成要素３０４は、ダウンリンクリソース許可のうちのどれがバンドリングのために対応するＮＡＣＫを有したかを知らないので、説明したように、この点について、ダウンリンクリソース許可上で１つまたは複数のダウンリンクリソース許可を関係するデータとともにワイヤレスデバイス１０２に再送信することができる。ダウンリンク許可受信構成要素２０２は、１つまたは複数のダウンリンクリソース許可を取得することができ、ＨＡＲＱ指示構成要素２０８によってＡＣＫが前に報告された許可を無視または廃棄することができる。
【００６３】
別の例では、ＨＡＲＱフィードバックバンドリング構成要素４０２は、ＨＡＲＱ指示構成要素２０８がＮＡＣＫを指定した第１のダウンリンクリソース許可の前に、ＨＡＲＱ指示構成要素２０８がＡＣＫを指定した最後のダウンリンクリソース許可に関係するリソース上でＡＣＫを送信することによって、ＨＡＲＱフィードバックパラメータを組み合わせることができる。説明したように、たとえば、ＨＡＲＱ指示構成要素２０８がシーケンス番号１、２、および４を有するダウンリンクリソース許可上で受信されたデータに対してＡＣＫを指定し、シーケンス番号３を有するダウンリンクリソース許可上でＮＡＣＫを指定する場合、ＨＡＲＱフィードバックバンドリング構成要素４０２は、シーケンス番号２をもつダウンリンクリソース許可に関係するＨＡＲＱフィードバックリソース上でＡＣＫを送信することができる。この例では、通信構成要素３０８は、シーケンス番号２をもつダウンリンクリソース許可に関係するリソース上でＨＡＲＱフィードバックパラメータを取得することができる。ＨＡＲＱバンドリング判断構成要素４０４は、ワイヤレスデバイス１０２が、１つのＨＡＲＱフィードバックパラメータのみを受信することに少なくとも部分的に基づいて、ＨＡＲＱフィードバックパラメータをバンドルしたことを識別することができる。さらに、ＨＡＲＱ指示構成要素２０８がダウンリンクリソース許可４に対してＡＣＫを指定したにもかかわらず、ＨＡＲＱバンドリング判断構成要素４０４は、ダウンリンクリソース許可２に関係するＡＣＫを解釈して、ダウンリンクリソース許可１および２に対してＡＣＫが示されるが、３および４（および紛失した可能性がある、その後にインデックス付けされた他のダウンリンクリソース許可）に対してＮＡＣＫが示されることを判断することができる。
【００６４】
この点について、ダウンリンク許可作成構成要素３０４は、シーケンス番号３および４をもつダウンリンクリソース許可をワイヤレスデバイス１０２に再送信することができる。さらに、ダウンリンク許可作成構成要素３０４は、再送信中に許可に関係する新しいデータ（たとえば、ＮＤＩが真に設定されたデータ）を含むことができる。ダウンリンク許可受信構成要素２０２は、再送信（および／またはデータ）を取得することができ、ＨＡＲＱ指示構成要素２０８がそのキャリアに対して前にＡＣＫを示したので、キャリア４についての再送信を無視または廃棄することができる。
【００６５】
さらに別の例では、紛失許可判断構成要素２０６が、許可が紛失したことを識別した場合、ＨＡＲＱフィードバックバンドリング構成要素４０２は、ＨＡＲＱフィードバックをバンドルするためにＨＡＲＱフィードバックリソース上で何も送信することができず、アクセスポイント３０２は、それを、少なくとも１つの許可が紛失したことを意味すると解釈することができる。さらに、この例では、ダウンリンク許可作成構成要素３０４は、ワイヤレスデバイス１０２においてどのダウンリンクリソース許可が紛失したかを判断することができないので、ＨＡＲＱフィードバックを受信しないことに基づいて、１つまたは複数のダウンリンクリソース許可を再送信することができる。
【００６６】
図５を参照すると、複数のキャリアに関係するダウンリンクリソース許可に対するＨＡＲＱフィードバックを与えることを可能にする例示的なワイヤレス通信ネットワーク５００が示されている。ネットワーク５００は、ワイヤレスネットワークへのアクセスを受信するためにｅＮＢ５０４と通信することができるＵＥ５０２を含む。説明したように、たとえば、ｅＮＢ５０４は、ＵＥ５０２に（たとえば、サブフレームにわたる、またはすべてのサブフレームに対する）複数のシングルキャリア割当てを与えることができる。この点について、たとえば、ｅＮＢ５０４は、キャリア割当てに対するダウンリンク（ＤＬ）許可５０６をＵＥ５０２に送信することができる。ＤＬ許可５０６内で、ＤＡＩは、シーケンス番号１および／またはリソース許可の総数４をもつシーケンス番号１（たとえば、１／４）を示すことができる。説明したように、たとえば、リソース許可の総数は、存在する場合は、シーケンス番号に対する差分として、異種メッセージ中の異種パラメータとしてなどｅＮＢ５０４によって送信され得る。５０８において、ＵＥ５０２は、ＤＬ許可を受信し、処理することができ、これは、ＤＬ許可情報を記憶すること、通信に対するＤＬ許可を監視することなどを含むことができる。さらに、一例では、ＤＬ許可５０６などのＤＬ許可は新しいデータをも含むことができ、適切に受信された場合、ＵＥ５０２はその新しいデータを処理することができる。
【００６７】
さらに、ｅＮＢ５０４は、シーケンス番号２または２／４を示すＤＡＩを有することができる、別のキャリア割当てに対するＤＬ許可５１０をＵＥ５０２に送信することができる。５１２において、ＵＥ５０２は同様にＤＬ許可を受信し、処理することができる。その上、ｅＮＢ５０４は、ＤＡＩがシーケンス番号３または３／４を示す、別のキャリア割当てに対するＤＬ許可５１４をＵＥ５０２に送信することができるが、（たとえば、ｅＮＢ５０４との干渉または他の通信障害、ＵＥ５０２におけるエラーなどのために）ＵＥはこの許可を受信せず、処理しない。ｅＮＢ５０４は、ＤＡＩがシーケンス番号４または４／４に設定された、別のキャリアに対するＤＬ許可５１６をもＵＥ５０２に送信することができ、５１８において、ＵＥ５０２はこのＤＬ許可を受信し、処理することができる。５２０において、ＵＥ５０２は、リソース許可に関係するＨＡＲＱフィードバック（またはそれを介して受信されたデータ）をｅＮＢ５０４に与えることができる。
【００６８】
説明したように、たとえば、ＵＥ５０２は、ＤＬ許可に関係するリソース上でＨＡＲＱフィードバックを示すことができる。（たとえば、ＳＣ−ＦＤＭＡ、緩和ＳＣ−ＦＤＭＡなど）利用される割振りに応じて、説明したように、ＵＥ５０２は、関係するアップリンク送信の巡回シフトおよび／または直交系列、ＤＬ許可に関係する個々のＯＦＤＭシンボルまたはリソースなどによって示される複数のビットを使用してＨＡＲＱフィードバックをマッピングすることができる。さらに、たとえば、説明したように、緩和ＳＣ−ＦＤＭＡにおける電力制限されたシナリオの場合、ＵＥ５０２は、ＤＬ許可のうちの１つに関係する単一のリソース上でＨＡＲＱフィードバックをバンドルすることができる。一例では、ＵＥ５０２は、１つまたは複数のＤＬ許可のＤＡＩに少なくとも部分的に基づいて、ｅＮＢ５０４によって送信された４つのＤＬ許可があることを判断することができる。したがって、ＵＥ５０２はまた、それがシーケンス番号３をもつＤＬ許可を受信しなかったことを判断することができ、関係するＨＡＲＱフィードバックに対してＮＡＣＫを示すことができる。
【００６９】
したがって、たとえば、５２０においてリソース許可に関係するＨＡＲＱフィードバックを与えることは、ＵＥ５０２が、シーケンス番号３に関係するビットまたはリソース上でＮＡＣＫを指定すること、または何も指定していないことを含むことができる。別の例では、５２０においてリソース許可に関係するＨＡＲＱフィードバックを与えることは、ＵＥ５０２が、シーケンス番号１をもつＤＬ許可に関係するリソース上ですべてのＨＡＲＱフィードバックをバンドルすることと、したがってＤＬ許可のうちの１つがＮＡＣＫであるのでＮＡＣＫを示すこととを含むことができる。さらに別の例では、説明したように、５２０においてリソース許可に関係するＨＡＲＱフィードバックを与えることは、ＵＥ５０２が、シーケンス番号２をもつＤＬ許可である、ＮＡＣＫを示す第１のＤＬ許可の前の、ＡＣＫを示す最後のＤＬ許可に関係するリソース上で、すべてのＨＡＲＱフィードバックをバンドルすることと、その上でＡＣＫを示すこととを含むことができる。
【００７０】
ＨＡＲＱフィードバックに基づいて、この点について、５２２において、ｅＮＢ５０４は、上記で説明したように１つまたは複数のＤＬ許可が紛失したかどうかを判断することができる。したがって、一例では、ｅＮＢ５０４は、シーケンス番号３をもつＤＬ許可がそれに関係するリソース上で示されるように紛失したことを判断することができ、５２４において、ｅＮＢ５０４は、シーケンス番号３をもつＤＬ許可をＵＥ５０２に再送信することができる。別の例では、ｅＮＢ５０４は、シーケンス番号１をもつＤＬ許可に関係するリソース上でＮＡＣＫを受信することと、残りのＨＡＲＱリソース上で何も受信しないこととに基づいてＤＬ許可のうちの１つが紛失したことを判断することができる。この例では、５２４において、ｅＮＢ５０４はＤＬ許可のすべてをＵＥ５０２に再送信することができる。さらに別の例では、ｅＮＢ５０４は、シーケンス番号２をもつＤＬ許可のみに関係するＨＡＲＱリソース上でＡＣＫを受信することに少なくとも部分的に基づいて、シーケンス番号１および２をもつＤＬ許可のみが受信されることを判断することができる。したがって、５２４において、ｅＮＢ５０４は、シーケンス番号３および４をもつＤＬ許可をＵＥ５０２に再送信することができる。後者の場合のうちのいずれかでは、ＵＥ５０２は、それが前にＡＣＫを示したが、電力を温存するためにＨＡＲＱリソースをバンドルした追加のＤＬ許可を無視することができる。さらに、ＮＡＣＫはＤＬ許可を介して受信されたデータを指すことができ、ＤＬ許可自体を指さないことを諒解されたい。ただし、この場合、ｅＮＢ５０４は、ＤＬ許可が紛失したと仮定し、（たとえば、データとともに）ＤＬ許可を再送信する。したがって、ＵＥ５０２は、ＵＥ５０２が必要としないものを無視することができる。
【００７１】
次に図６〜図９を参照すると、本明細書に記載の様々な態様に従って実行され得る方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関係する状態またはイベントとして代替的に表現され得ることを、当業者は理解および諒解するであろう。さらに、１つまたは複数の態様による方法を実装するために、図示のすべての行為が必要とされるわけではない。
【００７２】
図６を参照すると、受信されたシーケンス情報に少なくとも部分的に基づいて紛失ダウンリンクリソース許可を判断するための例示的な方法６００が示されている。６０２において、データ送信のための複数のキャリアに関係する複数のダウンリンクリソース許可を受信する。説明したように、たとえば、複数のダウンリンクリソース許可は、ＳＣ−ＦＤＭＡまたは緩和ＳＣ−ＦＤＭＡにおいて、複数のシングルキャリア割当て、単一の複数のキャリア割当てなどとして受信され得る。さらに、説明したように、ダウンリンクリソース許可は、（たとえば、キャリア割当てがサブフレームごとに変わることがある場合）複数のサブフレームにわたる複数のキャリアに関係し、すべてのサブフレームにわたる複数のキャリアなどに関係することができる。６０４において、複数のダウンリンクリソース許可の各々に関係するＤＡＩを取得する。ＤＡＩは、説明したように、ダウンリンクリソース許可のグループ内のダウンリンクリソース許可のためのシーケンス番号、ダウンリンクリソース許可の総数などに関係することができる。その上、説明したように、シーケンス番号および／または総数は、所与のサブフレーム中の複数のキャリアにわたる（１つまたは複数の）ダウンリンクリソース許可、サブフレームにわたる所与のキャリアのための（１つまたは複数の）ダウンリンクリソース許可、あるいは複数のサブフレームにわたる複数のキャリア上の（１つまたは複数の）ダウンリンクリソース許可に関係することができる。６０６において、複数のダウンリンクリソース許可の各々に関係するＤＡＩに少なくとも部分的に基づいて、１つまたは複数の紛失ダウンリンクリソース許可を判断する。紛失ダウンリンクリソース許可に対するＨＡＲＱフィードバックは、説明したように、その再送信について報告され得る。
【００７３】
図７を参照すると、フィードバックパラメータをバンドルすることと、フィードバックパラメータをバンドルしないこととの間で切り替えることを可能にする例示的な方法７００が示されている。７０２において、データ送信のための複数のキャリアに関係する複数のダウンリンクリソース許可を受信する。７０４において、電力要件に少なくとも部分的に基づいて、複数のダウンリンクリソース許可に関係する複数のフィードバックパラメータを与えるためのフォーマットを判断する。したがって、たとえば、より多くの電力が必要とされる場合、電力を温存するためにバンドリングフォーマットが判断され得る。７０６において、フォーマットに少なくとも部分的に基づいて、複数のフィードバックパラメータのうちの１つまたは複数を送信する。説明したように、フォーマットがバンドルすることを示す場合、フィードバックパラメータは、すべてのダウンリンクリソース許可に関係するフィードバックがＡＣＫである場合、第１のダウンリンクリソース許可に関係するフィードバックリソース上でＡＣＫを送信すること、または少なくとも１つのダウンリンクリソース許可に関係するフィードバックがＮＡＣＫである場合、ＮＡＣＫを送信することによってバンドルされ得る。別の例では、バンドルすることは、ＮＡＣＫを示す第１のダウンリンクリソース許可の前にＡＣＫを示す最後のダウンリンクリソース許可に関係するフィードバックリソース上でＡＣＫを送信することを含むことができる。さらに別の例では、ダウンリンクリソース許可のうちの少なくとも１つに対してＮＡＣＫが示された場合、バンドルすることは何も送信しないことを含むことができる。
【００７４】
図８を参照すると、複数のダウンリンクリソース許可中でシーケンス番号を示すことを可能にする例示的な方法８００が示されている。８０２において、デバイスがそれと通信することを可能にするために、複数のダウンリンクリソース許可を生成する。説明したように、これは、ＳＣ−ＦＤＭＡ、緩和ＳＣ−ＦＤＭＡなどにおいて、複数のシングルキャリア割当て、単一のマルチキャリア割当てなどを含むことができる。８０４において、複数のダウンリンクリソース許可のうちの少なくとも１つのＤＡＩを利用して、シーケンス番号またはダウンリンクリソース許可の総数を示す。説明したように、厳密なマッピング、公式などによってシーケンス番号および／または許可の総数を示すようにＤＡＩはマッピングされ得る。その上、説明したように、シーケンス番号および／または総数は、所与のサブフレーム中の複数のキャリアにわたる（１つまたは複数の）ダウンリンクリソース許可、サブフレームにわたる所与のキャリアのための（１つまたは複数の）ダウンリンクリソース許可、あるいは複数のサブフレームにわたる複数のキャリア上の（１つまたは複数の）ダウンリンクリソース許可に関係することができる。８０６において、複数のダウンリンクリソース許可をデバイスに送信する。
【００７５】
図９を参照すると、ＨＡＲＱフィードバックパラメータがバンドルされたかどうかを判断することを可能にする例示的な方法９００が示されている。９０２において、複数のキャリアに関係する複数のダウンリンクリソース許可をデバイスに送信する。説明したように、複数のダウンリンクリソース許可は、それぞれ紛失リソース許可を判断することを可能にするために、シーケンス番号などを示すことができる。９０４において、デバイスから複数のダウンリンクリソース許可に関係するＨＡＲＱフィードバックを取得する。説明したように、複数のＨＡＲＱフィードバックパラメータは、単一のパラメータ上でバンドルされ得る。９０６において、ＨＡＲＱフィードバックがバンドルされたかどうかを判断する。たとえば、ＨＡＲＱフィードバックが単一のＨＡＲＱリソース上で受信された場合、説明したように、フィードバックは、複数のダウンリンクリソース許可についてバンドルされた。９０８において、（たとえば、フィードバックパラメータのうちの１つまたは複数がＮＡＣＫである場合）１つまたは複数のダウンリンクリソース許可を再送信すべきかどうかを判断するために、ＨＡＲＱフィードバックを解釈する。
【００７６】
本明細書で説明する１つまたは複数の態様によれば、１つまたは複数のダウンリンクリソース許可が紛失したかどうかを判断すること、ＨＡＲＱフィードバックをバンドルすること、ＨＡＲＱフィードバックを指定することなどに関して推論が行われ得ることを諒解されたい。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７７】
図１０を参照すると、１つまたは複数のダウンリンクリソース許可中にシーケンス番号に少なくとも部分的に基づいて１つまたは複数の紛失許可を判断するシステム１０００が示されている。たとえば、システム１０００は、少なくとも部分的に基地局、モバイルデバイスなどの内部に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、データ送信のための複数のキャリアに関係する複数のダウンリンクリソース許可を受信するための電気構成要素１００４を含むことができる。一例では、説明したように、ダウンリンクリソース許可は、ＳＣ−ＦＤＭＡ、緩和ＳＣ−ＦＤＭＡなどにおいて、単一の割当てまたは複数の割当て中で受信され得る。さらに、論理グルーピング１００２は、複数のダウンリンクリソース許可の少なくとも１つのためのＤＡＩに少なくとも部分的に基づいて、１つまたは複数の紛失ダウンリンクリソース許可を検出するための電気構成要素１００６を備えることができる。
【００７８】
説明したように、たとえば、ＤＡＩは、シーケンス番号、ダウンリンクリソース許可の総数などに関係することができる。この点について、たとえば、電気構成要素１００６は、それがシーケンス番号１、２、４に関係するダウンリンクリソース許可を受信し、したがって、シーケンス番号に基づいて、シーケンス番号３をもつダウンリンクリソース許可が紛失したことを判断することができる。別の例では、電気構成要素１００６は、総数４がＤＡＩ中に指定されたときに、それが３つのダウンリンクリソース許可のみを受信したことを判断することができる。その上、論理グルーピング１００２は、１つまたは複数の紛失ダウンリンクリソース許可に対するＮＡＣＫフィードバックパラメータを示すための電気構成要素１００８を含む。説明したように、厳密な紛失ダウンリンクリソース許可が判断され得ない場合、これは紛失ダウンリンクリソース許可の再送信、あるいは１つまたは複数の追加のリソース許可を生じることがある。さらに、説明したように、一例では、ＮＡＣＫフィードバックパラメータは、他のフィードバックパラメータとバンドルされ得る。さらに、システム１０００は、電気構成要素１００４、１００６、および１００８に関連する機能を実行するための命令を保持するメモリ１０１０を含むことができる。メモリ１０１０の外部にあるものとして示されているが、電気構成要素１００４、１００６、および１００８の１つまたは複数は、メモリ１０１０の内部に存在することができることを理解されたい。
【００７９】
図１１を参照すると、フィードバックパラメータをバンドルすべきかどうかを判断するシステム１１００が示されている。たとえば、システム１１００は、少なくとも部分的に基地局、モバイルデバイスなどの内部に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１１００は、連携して動作することができる電気構成要素の論理グルーピング１１０２を含む。たとえば、論理グルーピング１１０２は、データ送信のための複数のキャリアに関係する複数のダウンリンクリソース許可を受信するための電気構成要素１００４を含むことができる。説明したように、これは、複数のシングルキャリア許可、マルチキャリア許可などとすることができる。さらに、論理グルーピング１１０２は、電力要件に少なくとも部分的に基づいて、複数のダウンリンクリソース許可に関係する複数のフィードバックパラメータを与えるためのフォーマットを判断するための電気構成要素１１０６を備えることができる。したがって、たとえば、送信するために追加の電力が必要とされる場合、電力を温存するためにフィードバックパラメータがバンドルされ得る。
【００８０】
その上、論理グルーピング１１０２は、フォーマットに少なくとも部分的に基づいて複数のフィードバックパラメータのうちの１つまたは複数を送信するための電気構成要素１１０８を含む。論理グルーピング１１０２はまた、フォーマットに少なくとも部分的に基づいて、単一のフィードバックパラメータとして複数のフィードバックパラメータをバンドルするための電気構成要素１１１０を含むことができる。したがって、フォーマットがフィードバックパラメータのバンドリングを指定した場合、電気構成要素１１１０は、フィードバックパラメータを適宜にバンドルすることができる。説明したように、これは、第１のダウンリンクリソース許可に関係するリソース上で代表的なフィードバックパラメータを送信すること、ＮＡＣＫを示す第１のダウンリンクリソース許可の前のＡＣＫを示す最後のダウンリンクリソース許可に関係するリソース上でＡＣＫを送信すること、ダウンリンクリソース許可のうちの少なくとも１つがＮＡＣＫを示す場合に何も送信しないことなどを含むことができる。
【００８１】
さらに、論理グルーピング１１０２は、複数のダウンリンクリソース許可のうちの１つまたは複数に関係するＤＡＩから取得されたシーケンス番号に少なくとも部分的に基づいて、１つまたは複数の紛失ダウンリンクリソース許可を判断するための電気構成要素１１１２を含むことができる。説明したように、電気構成要素１１１２は、受信されたシーケンス番号に少なくとも部分的に基づいて、１つまたは複数のシーケンス番号が消失したことを判断することができる。その上、説明したように、電気構成要素１１０８は、紛失ダウンリンクリソース許可に対するＮＡＣＫを送信することができる。さらに、システム１１００は、電気構成要素１１０４、１１０６、１１０８、１１１０、および１１１２に関連する機能を実行するための命令を保持するメモリ１１１４を含むことができる。メモリ１１１４の外部にあるものとして図示されているが、１つまたは複数の電気構成要素１１０４、１１０６、１１０８、１１１０、および１１１２はメモリ１１１４の内部に存在することができることを理解されたい。
【００８２】
図１２を参照すると、紛失許可を検出することを可能にするために、ダウンリンクリソース許可中のシーケンス番号を示すシステム１２００が示されている。たとえば、システム１２００は、少なくとも部分的に基地局、モバイルデバイスなどの内部に常駐することができる。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１２００は、連携して動作することができる電気構成要素の論理グルーピング１２０２を含む。たとえば、論理グルーピング１２０２は、デバイスが電気構成要素１２０４と通信することを可能にするために、複数のダウンリンクリソース許可を生成するための電気構成要素１２０４を含むことができる。さらに、論理グルーピング１２０２は、複数のダウンリンクリソース許可のうちの少なくとも１つのシーケンス番号、または複数のダウンリンクリソース許可の各々のＤＡＩ中のダウンリンクリソース許可の総数を示すための電気構成要素１２０６を備えることができる。説明したように、シーケンス番号および／または総数は、所与のサブフレーム中の複数のキャリアにわたる（１つまたは複数の）ダウンリンクリソース許可、サブフレームにわたる所与のキャリアのための（１つまたは複数の）ダウンリンクリソース許可、あるいは複数のサブフレームにわたる複数のキャリア上の（１つまたは複数の）ダウンリンクリソース許可に関係することができる。
【００８３】
その上、論理グルーピング１２０２は、複数のダウンリンクリソース許可をデバイスに送信するための電気構成要素１２０８を含む。説明したように、これは、複数のシングルキャリア割当て、マルチキャリア割当てなどを送信することを含むことができる。論理グルーピング１２０２はまた、１つまたは複数のフィードバックパラメータがバンドルされたフィードバックパラメータを表すかどうかを判断するための電気構成要素１２１０を含むことができる。説明したように、フィードバックパラメータはデバイスから受信され得、デバイスは、電力要件に基づいてフィードバックパラメータをバンドルすることができる。説明したように、電気構成要素１２１０は、フィードバックパラメータが単一のパラメータとして受信されたかどうかなどに少なくとも部分的に基づいて、フィードバックパラメータがバンドルされたかどうかを判断することができる。さらに、システム１２００は、電気構成要素１２０４、１２０６、１２０８、および１２１０に関連する機能を実行するための命令を保持するメモリ１２１２を含むことができる。メモリ１２１２の外部にあるものとして示されているが、電気構成要素１２０４、１２０６、１２０８、および１２１０の１つまたは複数は、メモリ１２１２の内部に存在することができることを理解されたい。
【００８４】
図１３は、本明細書で説明する機能の様々な態様を実装するために利用され得るシステム１３００のブロック図である。一例では、システム１３００は、基地局またはｅＮＢ１３０２を含む。図示のように、ｅＮＢ１３０２は、１つまたは複数の受信（Ｒｘ）アンテナ１３０６を介して１つまたは複数のＵＥ１３０４から（１つまたは複数の）信号を受信し、１つまたは複数の送信（Ｔｘ）アンテナ１３０８を介して１つまたは複数のＵＥ１３０４にその信号を送信することができる。さらに、ｅＮＢ１３０２は、（１つまたは複数の）受信アンテナ１３０６から情報を受信する受信機１３１０を備えることができる。一例では、受信機１３１０は、受信した情報を復調する復調器（Ｄｅｍｏｄ）１３１２に動作可能に結合され得る。次いで、復調されたシンボルは、プロセッサ１３１４によって分析され得る。プロセッサ１３１４は、コードクラスタ、アクセス端末割当て、それに関するルックアップテーブル、固有のスクランブル系列に関する情報、および／または他の好適なタイプの情報を記憶することができるメモリ１３１６に結合され得る。一例では、ｅＮＢ１３０２は、方法６００、７００、８００、９００ならびに／または他の同様のおよび適切な方法を実行するために、プロセッサ１３１４を採用することができる。ｅＮＢ１３０２はまた、送信機１３２０によって（１つまたは複数の）送信アンテナ１３０８を介して送信するために信号を多重化することができる変調器１３１８を含むことができる。
【００８５】
図１４は、本明細書で説明する機能の様々な態様を実装するために利用され得る別のシステム１４００のブロック図である。一例では、システム１４００はモバイル端末１４０２を含む。図示のように、モバイル端末１４０２は、１つまたは複数のアンテナ１４０８を介して、１つまたは複数の基地局１４０４から（１つまたは複数の）信号を受信し、１つまたは複数の基地局１４０４にその信号を送信することができる。さらに、モバイル端末１４０２は、（１つまたは複数の）アンテナ１４０８から情報を受信する受信機１４１０を備えることができる。一例では、受信機１４１０は、受信した情報を復調する復調器（Ｄｅｍｏｄ）１４１２に動作可能に結合され得る。次いで、復調されたシンボルは、プロセッサ１４１４によって分析され得る。プロセッサ１４１４は、モバイル端末１４０２に関するデータおよび／またはプログラムコードを記憶することができるメモリ１４１６に結合され得る。さらに、モバイル端末１４０２は、方法６００、７００、８００、９００、ならびに／または他の同様のおよび適切な方法を実行するために、プロセッサ１４１４を採用することができる。モバイル端末１４０２はまた、説明した機能を実行するために、前の図で説明した１つまたは複数の構成要素を採用することができる。一例では、構成要素はプロセッサ１４１４によって実装され得る。モバイル端末１４０２はまた、（１つまたは複数の）アンテナ１４０８を介して送信機１４２０によって送信するために信号を多重化することができる変調器１４１８を含むことができる。
【００８６】
次に図１５を参照すると、様々な態様によるワイヤレス多元接続通信システムの図が与えられている。一例では、アクセスポイント１５００（ＡＰ）が複数のアンテナグループを含む。図１５に示すように、１つのアンテナグループはアンテナ１５０４および１５０６を含み、別のアンテナグループはアンテナ１５０８および１５１０を含み、別のアンテナグループはアンテナ１５１２および１５１４を含むことができる。図１５では、アンテナグループごとに２つのアンテナのみが示されているが、アンテナグループごとにより多いまたはより少ないアンテナが利用され得ることを諒解されたい。別の例では、アクセス端末１５１６はアンテナ１５１２および１５１４と通信中であり得、アンテナ１５１２および１５１４は、順方向リンク１５２０上でアクセス端末１５１６に情報を送信し、逆方向リンク１５１８上でアクセス端末１５１６から情報を受信する。追加および／または代替として、アクセス端末１５２２はアンテナ１５０６および１５０８と通信中であり得、アンテナ１５０６および１５０８は、順方向リンク１５２６上でアクセス端末１５２２に情報を送信し、逆方向リンク１５２４上でアクセス端末１５２２から情報を受信する。周波数分割複信システムでは、通信リンク１５１８、１５２０、１５２４および１５２６は、通信のための異なる周波数を使用することができる。たとえば、順方向リンク１５２０は、逆方向リンク１５１８によって使用される周波数とは異なる周波数を使用し得る。
【００８７】
アンテナの各グループ、および／またはアンテナが通信するために設計されたエリアは、アクセスポイントのセクタと呼ばれることがある。一態様によれば、アンテナグループは、アクセスポイント１５００によってカバーされるエリアのセクタ中でアクセス端末に通信するように設計され得る。順方向リンク１５２０および１５２６上の通信では、アクセスポイント１５００の送信アンテナは、異なるアクセス端末１５１６および１５２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００８８】
アクセスポイント、たとえばアクセスポイント１５００は、端末と通信するために使用される固定局とすることができ、基地局、ｅＮＢ、アクセスネットワーク、および／または他の好適な用語で呼ばれることもある。さらに、アクセス端末、たとえばアクセス端末１５１６または１５２２は、モバイル端末、ユーザ機器、ワイヤレス通信デバイス、端末、ワイヤレス端末、および／または他の適切な用語で呼ばれることもある。
【００８９】
次に図１６を参照すると、本明細書で説明する様々な態様が機能することができる、例示的なワイヤレス通信システム１６００を示すブロック図が与えられている。一例では、システム１６００は、送信機システム１６１０と受信機システム１６５０とを含む多入力多出力（ＭＩＭＯ）システムである。ただし、送信機システム１６１０および／または受信機システム１６５０は、たとえば、（たとえば、基地局上の）複数の送信アンテナが１つまたは複数のシンボルストリームを単一のアンテナデバイス（たとえば、移動局）に送信することができる、多入力単出力システムにも適用され得ることを諒解されたい。さらに、本明細書で説明する送信機システム１６１０および／または受信機システム１６５０の態様は、単出力単入力アンテナシステムに関して利用され得ることを諒解されたい。
【００９０】
一態様によれば、送信機システム１６１０において、いくつかのデータストリームのトラフィックデータがデータソース１６１２から送信（ＴＸ）データプロセッサ１６１４に供給される。一例では、各データストリームは、次いで、それぞれの送信アンテナ１６２４を介して送信され得る。さらに、ＴＸデータプロセッサ１６１４は、コーディングされたデータを供給するために、それぞれのデータストリーム用に選択された特定のコーディング方式に基づいて、データストリームごとにトラフィックデータをフォーマット化し、符号化し、インターリーブすることができる。一例では、各データストリームの符号化データは、次いで、ＯＦＤＭ技法を使用してパイロットデータで多重化できる。パイロットデータは、たとえば、既知の方法で処理される既知のデータパターンであり得る。さらに、パイロットデータは、チャネル応答を推定するために受信機システム１６５０において使用され得る。送信機システム１６１０に戻ると、各データストリームの多重化されたパイロットデータおよび符号化データは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）され得る。一例では、各データストリームのデータレート、コーディング、および変調は、プロセッサ１６３０上で実行される命令および／またはプロセッサ１６３０によって与えられる命令によって判断され得る。
【００９１】
次に、すべてのデータストリームの変調シンボルはＴＸプロセッサ１６２０に供給でき、ＴＸプロセッサ１６２０は、（たとえば、ＯＦＤＭ用に）変調シンボルをさらに処理することができる。次いで、ＴＸ  ＭＩＭＯプロセッサ１６２０は、ＮT個の変調シンボルストリームをＮT個のトランシーバ１６２２ａ〜１６２２ｔに供給することができる。一例では、各トランシーバ１６２２は、それぞれのシンボルストリームを受信し、処理して、１つまたは複数のアナログ信号を供給することができる。次いで、各トランシーバ１６２２は、それらのアナログ信号をさらに調整（たとえば、増幅、フィルタ処理、およびアップコンバート）して、ＭＩＭＯチャネルを介して送信するのに適した変調信号を供給することができる。したがって、トランシーバ１６２２ａ〜１６２２ｔからのＮT個の変調信号は、次いで、それぞれ、ＮT個のアンテナ１６２４ａ〜１６２４ｔから送信され得る。
【００９２】
別の態様によれば、送信された変調信号は、ＮR個のアンテナ１６５２ａ〜１６５２ｒによって受信機システム１６５０において受信され得る。次いで、各アンテナ１６５２から受信した信号は、それぞれのトランシーバ１６５４に供給され得る。一例では、各トランシーバ１６５４は、それぞれの受信信号を調整（たとえば、フィルタ処理、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ１６６０は、特定の受信機処理技法に基づいてＮR個のトランシーバ１６５４からＮR個の受信シンボルストリームを受信し、処理して、ＮT個の「検出」シンボルストリームを供給することができる。一例では、各検出シンボルストリームは、対応するデータストリームに関して送信される変調シンボルの推定であるシンボルを含むことができる。次いで、ＲＸ  ＭＩＭＯ／データプロセッサ１６６０は、各検出シンボルストリームを少なくとも部分的に復調し、デインターリーブし、復号することによって、各シンボルストリームを処理して、対応するデータストリームに関するトラフィックデータを回復することができる。したがって、ＲＸ  ＭＩＭＯ／データデータプロセッサ１６６０による処理は、送信機システム１６１０においてＴＸ  ＭＩＭＯプロセッサ１６２０およびＴＸデータプロセッサ１６１８によって実行される処理を補足することができる。ＲＸＲＸ  ＭＩＭＯ／データプロセッサ１６６０は、さらに、処理されたシンボルストリームをデータシンク１６６４に供給することができる。
【００９３】
一態様によれば、ＲＸ  ＭＩＭＯ／データプロセッサ１６６０によって発生されるチャネル応答推定は、受信機において空間／時間処理を実行し、電力レベルを調整し、変調レートまたは方式を変更し、および／あるいは他の適切なアクションを実行するために使用できる。さらに、ＲＸ  ＭＩＭＯ／データプロセッサ１６６０は、たとえば、検出シンボルストリームの信号対雑音干渉比（ＳＮＲ）などのチャネル特性をさらに推定することができる。次いで、ＲＸ  ＭＩＭＯ／データプロセッサ１６６０は、推定されたチャネル特性をプロセッサ１６７０に供給することができる。一例では、ＲＸ  ＭＩＭＯ／データプロセッサ１６６０および／またはプロセッサ１６７０は、システムに関する「動作」ＳＮＲの推定をさらに導出することができる。次いで、プロセッサ１６７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ１６１８によって処理し、変調器１６８０によって変調し、トランシーバ１６５４ａ〜１６５４ｒによって調整し、送信機システム１６１０に返信することができる。さらに、受信機システム１６５０にあるデータソース１６１６は、ＴＸデータプロセッサ１６１８によって処理される追加のデータを与えることができる。
【００９４】
送信機システム１６１０に戻ると、次いで、受信機システム１６５０からの変調信号は、アンテナ１６２４によって受信し、トランシーバ１６２２によって調整し、復調器１６４０によって復調し、ＲＸデータプロセッサ１６４２によって処理して、受信機システム１６５０によって報告されたＣＳＩを回復することができる。一例では、報告されたＣＳＩを、次いで、１つまたは複数のデータストリームのために使用すべきデータレートならびにコーディングおよび変調方式を判断するために、プロセッサ１６３０に供給し、使用することができる。次いで、判断された符号化および変調方式を、受信機システム１６５０への後の送信における量子化および／または使用のためにトランシーバ１６２２に供給することができる。追加および／または代替として、プロセッサ１６３０が、報告されたＣＳＩを使用して、ＴＸデータプロセッサ１６１４およびＴＸ  ＭＩＭＯプロセッサ１６２０のための様々な制御を発生することができる。別の例では、ＲＸデータプロセッサ１６４２によって処理されるＣＳＩおよび／または他の情報をデータシンク１６４４に供給することができる。
【００９５】
一例では、送信機システム１６１０にあるプロセッサ１６３０および受信機システム１６５０にあるプロセッサ１６７０は、それらのそれぞれのシステムにおいて動作を指令する。さらに、送信機システム１６１０にあるメモリ１６３２および受信機システム１６５０にあるメモリ１６７２は、それぞれ、プロセッサ１６３０および１６７０によって使用されるプログラムコードおよびデータの記憶域を与えることができる。さらに、受信機システム１６５０において、様々な処理技法を使用して、ＮR個の受信信号を処理して、ＮT個の送信シンボルストリームを検出することができる。これらの受信機処理技法は、等化技法とも呼ばれることがある空間および時空間受信機処理技法、ならびに／あるいは「逐次干渉消去」または「逐次消去」受信機処理技法とも呼ばれることがある「逐次ヌリング／等化および干渉消去」受信機処理技法を含むことができる。
【００９６】
本明細書で説明した態様は、ハードウェア、ソフトウェア、ファームウェア、ミドルウェア、マイクロコード、またはそれらの任意の組合せで実装され得ることを理解されたい。システムおよび／または方法は、ソフトウェア、ファームウェア、ミドルウェアまたはマイクロコード、プログラムコードまたはコードセグメントにおいて実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信され得る。
【００９７】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【００９８】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
［Ｃ１］
データ送信のための複数のキャリアに関係する複数のダウンリンクリソース許可を受信することと、
前記複数のダウンリンクリソース許可の各々に関係するダウンリンク割当てインデックス（ＤＡＩ）を取得することと、
前記複数のダウンリンクリソース許可の各々に関係する前記ＤＡＩに少なくとも部分的に基づいて１つまたは複数の紛失ダウンリンクリソース許可を判断することと
を備える、方法。
［Ｃ２］
前記１つまたは複数の紛失ダウンリンクリソース許可についての否定応答フィードバックパラメータを示すことをさらに備える、Ｃ１に記載の方法。
［Ｃ３］
１つまたは複数の追加のフィードバックパラメータとともに前記否定応答フィードバックパラメータをデバイスに送信することをさらに備え、前記複数のダウンリンクリソース許可が前記デバイスから受信される、Ｃ２に記載の方法。
［Ｃ４］
前記１つまたは複数の追加のフィードバックパラメータとともに前記否定応答フィードバックパラメータを前記送信することが、関係するアップリンク通信を前記デバイスに送信する際に利用される１つまたは複数の巡回シフトまたは直交系列によって表されるビット中で前記否定応答フィードバックパラメータと前記１つまたは複数の追加のフィードバックパラメータとを示すことを含む、Ｃ３に記載の方法。
［Ｃ５］
１つまたは複数の紛失ダウンリンクリソース許可を前記判断することが、
前記複数のダウンリンクリソース許可の各々に関係する前記ＤＡＩから、前記複数のダウンリンクリソース許可の各々のシーケンス番号を判断することと、
前記複数のダウンリンクリソース許可の各々の前記シーケンス番号に少なくとも部分的に基づいて、１つまたは複数の紛失ダウンリンクリソース許可に関係する不在シーケンス番号を検出することと
を含む、Ｃ１に記載の方法。
［Ｃ６］
前記複数のダウンリンクリソース許可の各々の前記シーケンス番号を前記判断することが、前記複数のダウンリンクリソース許可の各々に関係する前記ＤＡＩに少なくとも部分的に基づいて、マッピングまたは関数を適用することを含む、Ｃ５に記載の方法。
［Ｃ７］
前記複数のダウンリンクリソース許可の各々の前記シーケンス番号が、前記複数のキャリアにわたる前記複数のダウンリンクリソース許可内の各ダウンリンクリソース許可のシーケンスに関係する、Ｃ５に記載の方法。
［Ｃ８］
前記複数のダウンリンクリソース許可を前記受信することが、複数のサブフレームにわたる前記複数のキャリアに関係する前記複数のダウンリンクリソース許可を受信することを含む、Ｃ５に記載の方法。
［Ｃ９］
前記複数のダウンリンクリソース許可の各々の前記シーケンス番号が、前記複数のサブフレーム上の前記複数のキャリアの各独立したキャリアに関する、前記複数のダウンリンクリソース許可内の各ダウンリンクリソース許可のシーケンスに関係する、Ｃ８に記載の方法。
［Ｃ１０］
前記複数のダウンリンクリソース許可の各々の前記シーケンス番号が、前記複数のサブフレームの各々中の前記複数のキャリアにわたる、前記複数のダウンリンクリソース許可内の各ダウンリンクリソース許可のシーケンスに関係する、Ｃ８に記載の方法。
［Ｃ１１］
１つまたは複数の紛失ダウンリンクリソース許可を前記判断することが、
アクセスポイントによって送信されたリソース許可の総数を前記ＤＡＩから判断することと、
前記アクセスポイントによって送信されたリソース許可の前記総数にさらに部分的に基づいて、前記１つまたは複数の紛失ダウンリンクリソース許可に関係する前記不在シーケンス番号を検出することと
をさらに含む、Ｃ５に記載の方法。
［Ｃ１２］
１つまたは複数の紛失ダウンリンクリソース許可を前記判断することが、
アクセスポイントによって送信されたリソース許可の総数を前記ＤＡＩから判断することと、
前記複数のダウンリンクリソース許可の総数を、前記アクセスポイントによって送信されたリソース許可の前記総数と比較することと
を含む、Ｃ１に記載の方法。
［Ｃ１３］
リソース許可の前記総数が、所与のサブフレーム中の前記複数のキャリアにわたるリソース許可の前記総数、前記複数のキャリアのうちの少なくとも１つのための、複数のサブフレームにわたるリソース許可の前記総数、または前記複数のキャリアおよび前記複数のサブフレームにわたるリソース許可の前記総数を指す、Ｃ１２に記載の方法。
［Ｃ１４］
複数のキャリアに関係する複数のダウンリンクリソース許可を取得することと、
前記複数のダウンリンクリソース許可のうちの少なくとも１つに関係するダウンリンク割当てインデックス（ＤＡＩ）を判断することと、
前記ＤＡＩに少なくとも部分的に基づいて１つまたは複数の紛失ダウンリンクリソース許可を検出することと
を行うように構成された少なくとも１つのプロセッサと、
前記少なくとも１つのプロセッサに結合されたメモリと
を備える、ワイヤレス通信装置。
［Ｃ１５］
前記少なくとも１つのプロセッサが、否定応答フィードバックパラメータを前記１つまたは複数の紛失ダウンリンクリソース許可に関連付けるようにさらに構成された、Ｃ１４に記載のワイヤレス通信装置。
［Ｃ１６］
前記少なくとも１つのプロセッサが、１つまたは複数の追加のフィードバックパラメータとともに前記否定応答フィードバックパラメータをアクセスポイントに送信するようにさらに構成された、Ｃ１５に記載のワイヤレス通信装置。
［Ｃ１７］
前記少なくとも１つのプロセッサが、前記ＤＡＩに少なくとも部分的に基づいて、前記複数のダウンリンクリソース許可中の前記複数のダウンリンクリソース許可のうちの前記少なくとも１つのシーケンス番号、または前記複数のダウンリンクリソース許可の総数を判断するようにさらに構成された、Ｃ１４に記載のワイヤレス通信装置。
［Ｃ１８］
前記複数のダウンリンクリソース許可が、複数のサブフレーム上の前記複数のキャリアに対応する、Ｃ１４に記載のワイヤレス通信装置。
［Ｃ１９］
データ送信のための複数のキャリアに関係する複数のダウンリンクリソース許可を受信するための手段と、
前記複数のダウンリンクリソース許可のうちの少なくとも１つのダウンリンク割当てインデックス（ＤＡＩ）に少なくとも部分的に基づいて１つまたは複数の紛失ダウンリンクリソース許可を検出するための手段と
を備える、装置。
［Ｃ２０］
前記１つまたは複数の紛失ダウンリンクリソース許可についての否定応答フィードバックパラメータを示すための手段をさらに備える、Ｃ１９に記載の装置。
［Ｃ２１］
前記否定応答フィードバックパラメータを示すための前記手段が、１つまたは複数の追加のフィードバックパラメータとともに前記否定応答フィードバックパラメータをアクセスポイントに送信する、Ｃ２０に記載の装置。
［Ｃ２２］
１つまたは複数の紛失ダウンリンクリソース許可を検出するための前記手段がさらに、前記ＤＡＩから、前記複数のダウンリンクリソース許可の各々のシーケンス番号または前記複数のダウンリンクリソース許可の総数を判断し、前記複数のダウンリンクリソース許可の前記シーケンス番号または前記総数に少なくとも部分的に基づいて前記１つまたは複数の紛失ダウンリンクリソース許可を検出する、Ｃ１９に記載の装置。
［Ｃ２３］
前記複数のダウンリンクリソース許可が、複数のサブフレーム上の前記複数のキャリアに対応する、Ｃ１９に記載の装置。
［Ｃ２４］
少なくとも１つのコンピュータに、複数のキャリアに関係する複数のダウンリンクリソース許可を取得させるためのコードと、
前記少なくとも１つのコンピュータに、前記複数のダウンリンクリソース許可のうちの少なくとも１つに関係するダウンリンク割当てインデックス（ＤＡＩ）を判断させるためのコードと、
前記少なくとも１つのコンピュータに、前記ＤＡＩに少なくとも部分的に基づいて１つまたは複数の紛失ダウンリンクリソース許可を検出させるためのコードと
を備えるコンピュータ可読媒体
を備える、コンピュータプログラム製品。
［Ｃ２５］
前記コンピュータ可読媒体が、前記少なくとも１つのコンピュータに、否定応答フィードバックパラメータを前記１つまたは複数の紛失ダウンリンクリソース許可に関連付けさせるためのコードをさらに備える、Ｃ２４に記載のコンピュータプログラム製品。
［Ｃ２６］
前記コンピュータ可読媒体が、前記少なくとも１つのコンピュータに、アクセスポイントに１つまたは複数の追加のフィードバックパラメータとともに前記否定応答フィードバックパラメータを送信させるためのコードをさらに備える、Ｃ２５に記載のコンピュータプログラム製品。
［Ｃ２７］
前記コンピュータ可読媒体が、前記少なくとも１つのコンピュータに、前記ＤＡＩに少なくとも部分的に基づいて、前記複数のダウンリンクリソース許可中の前記複数のダウンリンクリソース許可のうちの前記少なくとも１つのシーケンス番号または前記複数のダウンリンクリソース許可の総数を判断させるためのコードをさらに備える、Ｃ２４に記載のコンピュータプログラム製品。
［Ｃ２８］
前記複数のダウンリンクリソース許可が、複数のサブフレーム上の前記複数のキャリアに対応する、Ｃ２４に記載のコンピュータプログラム製品。
［Ｃ２９］
データ送信のための複数のキャリアに関係する複数のダウンリンクリソース許可を取得するダウンリンク許可受信構成要素と、
前記複数のダウンリンクリソース許可のうちの少なくとも１つのダウンリンク割当てインデックス（ＤＡＩ）に少なくとも部分的に基づいて１つまたは複数の紛失ダウンリンクリソース許可を検出する紛失許可判断構成要素と
を備える、装置。
［Ｃ３０］
前記１つまたは複数の紛失ダウンリンクリソース許可に対する否定応答フィードバックパラメータを指定するハイブリッド自動再送／要求（ＨＡＲＱ）指示構成要素をさらに備える、Ｃ２９に記載の装置。
［Ｃ３１］
前記ＨＡＲＱ指示構成要素が、１つまたは複数の追加のフィードバックパラメータとともに前記否定応答フィードバックパラメータをアクセスポイントに送信する、Ｃ３０に記載の装置。
［Ｃ３２］
前記紛失許可判断構成要素がさらに、前記ＤＡＩから前記複数のダウンリンクリソース許可の各々のシーケンス番号または前記複数のダウンリンクリソース許可の総数を判断し、前記複数のダウンリンクリソース許可の前記シーケンス番号または前記総数に少なくとも部分的に基づいて前記１つまたは複数の紛失ダウンリンクリソース許可を検出する、Ｃ２９に記載の装置。
［Ｃ３３］
前記複数のダウンリンクリソース許可が、複数のサブフレーム上の前記複数のキャリアに対応する、Ｃ２９に記載の装置。
［Ｃ３４］
データ送信のための複数のキャリアに関係する複数のダウンリンクリソース許可を受信することと、
電力要件に少なくとも部分的に基づいて、前記複数のダウンリンクリソース許可に関係する複数のフィードバックパラメータを与えるためのフォーマットを判断することと、  前記フォーマットに少なくとも部分的に基づいて、前記複数のフィードバックパラメータのうちの１つまたは複数を送信することと
を備える、方法。
［Ｃ３５］
前記複数のフィードバックパラメータを与えるための前記フォーマットを前記判断することが、前記複数のフィードバックパラメータをバンドルすることを判断することを含み、前記複数のフィードバックパラメータのうちの前記１つまたは複数を前記送信することが、前記複数のフィードバックパラメータを表す単一のフィードバックパラメータを送信することを含む、Ｃ３４に記載の方法。
［Ｃ３６］
前記単一のフィードバックパラメータを前記送信することが、前記複数のフィードバックパラメータが肯定応答である場合、肯定応答を送信すること、または前記複数のフィードバックパラメータのうちの少なくとも１つが否定応答である場合、否定応答を送信することを含む、Ｃ３５に記載の方法。
［Ｃ３７］
前記単一のフィードバックパラメータを前記送信することは、肯定応答が示された前記複数のフィードバックパラメータのうちの１つに対して肯定応答を送信することを含み、前記複数のフィードバックパラメータのうちの次の１つが否定応答を示す、Ｃ３５に記載の方法。
［Ｃ３８］
関係するダウンリンク割当てインデックス（ＤＡＩ）に少なくとも部分的に基づいて前記複数のダウンリンクリソース許可のうちの少なくとも１つのシーケンス番号または前記複数のダウンリンクリソース許可の総数を取得することと、
前記複数のダウンリンクリソース許可の前記シーケンス番号または前記総数に少なくとも部分的に基づいて１つまたは複数の紛失ダウンリンクリソース許可を判断することとをさらに備える、Ｃ３５に記載の方法。
［Ｃ３９］
前記１つまたは複数の紛失ダウンリンクリソース許可についての否定応答フィードバックパラメータを示すことをさらに備える、Ｃ３８に記載の方法。
［Ｃ４０］
前記複数のダウンリンクリソース許可のうちの少なくとも１つの前記シーケンス番号または前記複数のダウンリンクリソース許可の前記総数を前記取得することが、前記関係するＤＡＩを使用したマッピングまたは関数に少なくとも部分的に基づいて前記複数のダウンリンクリソース許可の前記シーケンス番号または前記総数を判断することをさらに含む、Ｃ３８に記載の方法。
［Ｃ４１］
アクセスポイントによって与えられるダウンリンクリソース許可の数を示すインデックスを取得することをさらに備え、１つまたは複数の紛失ダウンリンクリソース許可を前記判断することがさらに、前記インデックスに少なくとも部分的に基づく、Ｃ３４に記載の方法。
［Ｃ４２］
前記複数のフィードバックパラメータを与えるための前記フォーマットを前記判断することが、バンドリングフォーマット間で切り替えることを含む、Ｃ３４に記載の方法。
［Ｃ４３］
前記複数のダウンリンクリソース許可を前記受信することが、複数のサブフレーム上で変化する前記複数のキャリアに関係する前記複数のダウンリンクリソース許可を受信することを含む、Ｃ３４に記載の方法。
［Ｃ４４］
データ送信のための複数のキャリアに関係する複数のダウンリンクリソース許可を取得することと、
電力要件に少なくとも部分的に基づいて、前記複数のダウンリンクリソース許可に関係する複数のフィードバックパラメータを与えるためのフォーマットを選択することと、    前記フォーマットに少なくとも部分的に基づいて、前記複数のダウンリンクリソース許可についての前記複数のフィードバックパラメータのうちの１つまたは複数を送信することと
を行うように構成された少なくとも１つのプロセッサと、
前記少なくとも１つのプロセッサに結合されたメモリと
を備える、ワイヤレス通信装置。
［Ｃ４５］
前記少なくとも１つのプロセッサが、前記フォーマットに少なくとも部分的に基づいて、前記複数のフィードバックパラメータを単一のフィードバックパラメータにバンドルするようにさらに構成された、Ｃ４４に記載のワイヤレス通信装置。
［Ｃ４６］
前記少なくとも１つのプロセッサは、少なくとも部分的に、前記複数のフィードバックパラメータが肯定応答である場合、前記単一のフィードバックパラメータ中に肯定応答を指定するか、または前記複数のフィードバックパラメータのうちの少なくとも１つが否定応答である場合、前記単一のフィードバックパラメータ中に否定応答を指定することによって、前記複数のフィードバックパラメータをバンドルする、Ｃ４５に記載のワイヤレス通信装置。
［Ｃ４７］
前記少なくとも１つのプロセッサが、少なくとも部分的に、前記単一のフィードバックパラメータ中に肯定応答を指定することによって前記複数のフィードバックパラメータをバンドルし、前記少なくとも１つのプロセッサは、前記複数のフィードバックパラメータのうちの次の１つが否定応答を示す場合、肯定応答が示された前記複数のフィードバックパラメータのうちの１つに関係するリソース上で、前記複数のフィードバックパラメータのうちの前記１つまたは複数として前記単一のフィードバックパラメータを送信する、Ｃ４５に記載のワイヤレス通信装置。
［Ｃ４８］
前記少なくとも１つのプロセッサが、
関係するダウンリンク割当てインデックスに少なくとも部分的に基づいて前記複数のダウンリンクリソース許可のうちの少なくとも１つのシーケンス番号を受信することと、  前記シーケンス番号に少なくとも部分的に基づいて１つまたは複数の紛失ダウンリンクリソース許可を検出することと
を行うように構成された、Ｃ４５に記載のワイヤレス通信装置。
［Ｃ４９］
前記少なくとも１つのプロセッサが、前記１つまたは複数の紛失ダウンリンクリソース許可についての前記複数のフィードバックパラメータのうちの前記１つまたは複数中に否定応答を示すようにさらに構成された、Ｃ４８に記載のワイヤレス通信装置。
［Ｃ５０］
データ送信のための複数のキャリアに関係する複数のダウンリンクリソース許可を受信するための手段と、
電力要件に少なくとも部分的に基づいて、前記複数のダウンリンクリソース許可に関係する複数のフィードバックパラメータを与えるためのフォーマットを判断するための手段と、
前記フォーマットに少なくとも部分的に基づいて前記複数のフィードバックパラメータのうちの１つまたは複数を送信するための手段と
を備える、装置。
［Ｃ５１］
前記フォーマットに少なくとも部分的に基づいて単一のフィードバックパラメータとして前記複数のフィードバックパラメータをバンドルするための手段をさらに備える、Ｃ５０に記載の装置。
［Ｃ５２］
バンドリングするための前記手段は、前記複数のフィードバックパラメータが肯定応答である場合、前記単一のフィードバックパラメータに対して肯定応答を示すか、または前記複数のフィードバックパラメータのうちの少なくとも１つが否定応答である場合、前記単一のフィードバックパラメータに対して否定応答を示す、Ｃ５１に記載の装置。
［Ｃ５３］
バンドルするための前記手段が、前記単一のフィードバックパラメータとして肯定応答を示し、送信するための前記手段は、前記複数のフィードバックパラメータのうちの次の１つが否定応答を示す場合、肯定応答が示された前記複数のフィードバックパラメータのうちの１つに関係するリソース上で前記単一のフィードバックパラメータを送信する、Ｃ５１に記載の装置。
［Ｃ５４］
前記複数のダウンリンクリソース許可のうちの１つまたは複数に関係するダウンリンク割当てインデックスから取得されたシーケンス番号に少なくとも部分的に基づいて１つまたは複数の紛失ダウンリンクリソース許可を判断するための手段をさらに備える、Ｃ５１に記載の装置。
［Ｃ５５］
送信するための前記手段が、前記１つまたは複数の紛失ダウンリンクリソース許可に関係する前記複数のフィードバックパラメータのうちの少なくとも１つについての否定応答を送信する、Ｃ５４に記載の装置。
［Ｃ５６］
少なくとも１つのコンピュータに、データ送信のための複数のキャリアに関係する複数のダウンリンクリソース許可を取得させるためのコードと、
前記少なくとも１つのコンピュータに、電力要件に少なくとも部分的に基づいて、前記複数のダウンリンクリソース許可に関係する複数のフィードバックパラメータを与えるためのフォーマットを選択させるためのコードと、
前記少なくとも１つのコンピュータに、前記フォーマットに少なくとも部分的に基づいて、前記複数のダウンリンクリソース許可についての前記複数のフィードバックパラメータのうちの１つまたは複数を送信させるためのコードと
を備えるコンピュータ可読媒体
を備える、コンピュータプログラム製品。
［Ｃ５７］
前記コンピュータ可読媒体が、前記少なくとも１つのコンピュータに、前記フォーマットに少なくとも部分的に基づいて単一のフィードバックパラメータに前記複数のフィードバックパラメータをバンドルさせるためのコードをさらに備える、Ｃ５６に記載のコンピュータプログラム製品。
［Ｃ５８］
前記少なくとも１つのコンピュータにバンドルさせるためのコードが、少なくとも部分的に、前記複数のフィードバックパラメータが肯定応答である場合、前記単一のフィードバックパラメータ中に肯定応答を指定するか、または前記複数のフィードバックパラメータのうちの少なくとも１つが否定応答である場合、前記単一のフィードバックパラメータ中に否定応答を指定することによって前記複数のフィードバックパラメータをバンドルする、Ｃ５７に記載のコンピュータプログラム製品。
［Ｃ５９］
前記少なくとも１つのコンピュータにバンドルさせるためのコードは、少なくとも部分的に、前記単一のフィードバックパラメータ中に肯定応答を指定することによって、前記複数のフィードバックパラメータをバンドルし、前記少なくとも１つのコンピュータに送信させるためのコードは、前記複数のフィードバックパラメータのうちの次の１つが否定応答を示す場合、肯定応答が示される前記複数のフィードバックパラメータのうちの１つに関係するリソース上で、前記複数のフィードバックパラメータのうちの前記１つまたは複数として前記単一のフィードバックパラメータを送信する、Ｃ５７に記載のコンピュータプログラム製品。
［Ｃ６０］
前記コンピュータ可読媒体が、
前記少なくとも１つのコンピュータに、関係するダウンリンク割当てインデックスに少なくとも部分的に基づいて前記複数のダウンリンクリソース許可のうちの少なくとも１つのシーケンス番号を受信させるためのコードと、
前記少なくとも１つのコンピュータに、前記シーケンス番号に少なくとも部分的に基づいて１つまたは複数の紛失ダウンリンクリソース許可を検出させるためのコードと
をさらに備える、Ｃ５７に記載のコンピュータプログラム製品。
［Ｃ６１］
前記コンピュータ可読媒体が、前記少なくとも１つのコンピュータに、前記１つまたは複数の紛失ダウンリンクリソース許可についての前記複数のフィードバックパラメータのうちの前記１つまたは複数中に否定応答フィードバックパラメータを示させるためのコードをさらに備える、Ｃ６０に記載のコンピュータプログラム製品。
［Ｃ６２］
データ送信のための複数のキャリアに関係する複数のダウンリンクリソース許可を取得するダウンリンク許可受信構成要素と、
電力要件に少なくとも部分的に基づいて、前記複数のダウンリンクリソース許可に関係する複数のフィードバックパラメータを与えるためのフォーマットを判断するハイブリッド自動再送／要求（ＨＡＲＱ）フォーマット選択構成要素と、
前記フォーマットに少なくとも部分的に基づいて、前記複数のフィードバックパラメータのうちの１つまたは複数を送信するＨＡＲＱ指示構成要素と
を備える、装置。
［Ｃ６３］
前記フォーマットに少なくとも部分的に基づいて単一のフィードバックパラメータ中に前記複数のフィードバックパラメータを組み合わせるＨＡＲＱフィードバックバンドリング構成要素をさらに備える、Ｃ６２に記載の装置。
［Ｃ６４］
前記ＨＡＲＱフィードバックバンドリング構成要素は、前記複数のフィードバックパラメータが肯定応答である場合、前記単一のフィードバックパラメータに対して肯定応答を示すか、または前記複数のフィードバックパラメータのうちの少なくとも１つが否定応答である場合、前記単一のフィードバックパラメータに対して否定応答を示す、Ｃ６３に記載の装置。
［Ｃ６５］
前記ＨＡＲＱフィードバックバンドリング構成要素が、前記単一のフィードバックパラメータのための肯定応答を示し、前記ＨＡＲＱ指示構成要素は、前記複数のフィードバックパラメータのうちの次の１つが否定応答を示す場合、肯定応答が示される前記複数のフィードバックパラメータのうちの１つに関係するリソース上で前記単一のフィードバックパラメータを送信する、Ｃ６３に記載の装置。
［Ｃ６６］
前記複数のダウンリンクリソース許可のうちの１つまたは複数に関係するダウンリンク割当てインデックスから取得されたシーケンス番号に少なくとも部分的に基づいて１つまたは複数の紛失ダウンリンクリソース許可を検出する紛失許可判断構成要素をさらに備える、Ｃ６３に記載の装置。
［Ｃ６７］
前記ＨＡＲＱ指示構成要素が、前記１つまたは複数の紛失ダウンリンクリソース許可に関係する前記複数のフィードバックパラメータのうちの少なくとも１つについての否定応答を送信する、Ｃ６６に記載の装置。
［Ｃ６８］
デバイスがそれと通信することを可能にするために、複数のダウンリンクリソース許可を生成することと、
前記複数のダウンリンクリソース許可のうちの少なくとも１つのダウンリンク割当てインデックスを利用することによって前記複数のダウンリンクリソース許可のうちの少なくとも１つのシーケンス番号または前記複数のダウンリンクリソース許可の総数を示すことと、
前記複数のダウンリンクリソース許可を前記デバイスに送信することと
を備える、方法。
［Ｃ６９］
前記複数のダウンリンクリソース許可に関係する１つまたは複数のフィードバックパラメータを受信することをさらに備える、Ｃ６８に記載の方法。
［Ｃ７０］
前記１つまたは複数のフィードバックパラメータが、バンドルされたフィードバックパラメータを表すかどうかを判断することをさらに備える、Ｃ６９に記載の方法。
［Ｃ７１］
前記１つまたは複数のフィードバックパラメータが、バンドルされたフィードバックパラメータを表すかどうかを前記判断することは、単一のフィードバックパラメータが前記複数のダウンリンクリソース許可に関係する複数のフィードバックリソースのうちの１つの上で受信されたことを判断することを含む、Ｃ７０に記載の方法。
［Ｃ７２］
前記１つまたは複数のフィードバックパラメータを前記受信することが、前記デバイスから、関係するアップリンク通信に対する巡回シフトまたは直交系列修正によって示された複数のビットとして前記１つまたは複数の前記フィードバックパラメータを受信することを含む、Ｃ６９に記載の方法。
［Ｃ７３］
前記複数のダウンリンクリソース許可のうちの少なくとも１つを前記デバイスに再送信することをさらに備え、前記１つまたは複数のフィードバックパラメータのうちの少なくとも１つが否定応答を示す、Ｃ６９に記載の方法。
［Ｃ７４］
前記複数のダウンリンクリソース許可のうちの前記少なくとも１つの前記シーケンス番号を前記示すことが、所与のサブフレーム中の複数のキャリアにわたる前記複数のダウンリンクリソース許可中の前記複数のダウンリンクリソース許可のうちの前記少なくとも１つのシーケンスに関する前記シーケンス番号を示すことを含む、Ｃ６８に記載の方法。
［Ｃ７５］
前記複数のダウンリンクリソース許可を生成することが、複数のサブフレームにわたる前記複数のダウンリンクリソース許可を生成することを含む、Ｃ６８に記載の方法。
［Ｃ７６］
前記複数のダウンリンクリソース許可のうちの前記少なくとも１つの前記シーケンス番号を前記示すことが、前記複数のサブフレームにわたるキャリアに関係する前記複数のダウンリンクリソース許可中の前記複数のダウンリンクリソース許可のうちの前記少なくとも１つのシーケンスに関する前記シーケンス番号を示すことを含む、Ｃ７５に記載の方法。
［Ｃ７７］
前記複数のダウンリンクリソース許可のうちの前記少なくとも１つの前記シーケンス番号を前記示すことが、複数のキャリアおよび前記複数のサブフレームにわたる前記複数のダウンリンクリソース許可中の前記複数のダウンリンクリソース許可のうちの前記少なくとも１つのシーケンスに関する前記シーケンス番号を示すことを含む、Ｃ７５に記載の方法。
［Ｃ７８］
前記複数のダウンリンクリソース許可の前記総数を前記示すことが、所与のサブフレーム中の複数のキャリアに関係する前記複数のダウンリンクリソース許可の前記総数、複数のサブフレームにわたる前記複数のダウンリンクリソース許可のうちの前記少なくとも１つに対応するキャリア上の前記複数のダウンリンクリソース許可の前記総数、または前記複数のサブフレーム上の前記複数のキャリアに関係する前記複数のダウンリンクリソース許可の前記総数を計算することを含む、Ｃ６８に記載の方法。
［Ｃ７９］
デバイスが複数のキャリア上でそれと通信することを可能にするために、複数のダウンリンクリソース許可を作成することと、
前記複数のダウンリンクリソース許可の各々のダウンリンク割当てインデックス中の前記複数のダウンリンクリソース許可のうちの少なくとも１つのシーケンス番号または前記複数のダウンリンクリソース許可の総数を指定することと、
前記複数のダウンリンクリソース許可を前記デバイスに通信することと
を行うように構成された少なくとも１つのプロセッサと、
前記少なくとも１つのプロセッサに結合されたメモリと
を備える、ワイヤレス通信装置。
［Ｃ８０］
前記少なくとも１つのプロセッサが、前記複数のダウンリンクリソース許可に関係する１つまたは複数のフィードバックパラメータを受信するようにさらに構成された、Ｃ７９に記載のワイヤレス通信装置。
［Ｃ８１］
前記少なくとも１つのプロセッサは、前記１つまたは複数のフィードバックパラメータが、バンドルされたフィードバックパラメータを表すかどうかを判断するようにさらに構成された、Ｃ８０に記載のワイヤレス通信装置。
［Ｃ８２］
前記少なくとも１つのプロセッサは、前記１つまたは複数のフィードバックパラメータがその上で受信されたリソースに少なくとも部分的に基づいて、前記１つまたは複数のフィードバックパラメータが、バンドルされたフィードバックパラメータを表すかどうかを判断する、Ｃ８１に記載のワイヤレス通信装置。
［Ｃ８３］
前記少なくとも１つのプロセッサが、複数のサブフレームにわたる前記複数のキャリア上の前記複数のダウンリンクリソース許可を作成する、Ｃ７９に記載のワイヤレス通信装置。
［Ｃ８４］
デバイスがそれと通信することを可能にするために、複数のダウンリンクリソース許可を生成するための手段と、
前記複数のダウンリンクリソース許可の各々のダウンリンク割当てインデックス中の前記複数のダウンリンクリソース許可のうちの少なくとも１つのシーケンス番号または前記複数のダウンリンクリソース許可の総数を示すための手段と、
前記複数のダウンリンクリソース許可を前記デバイスに送信するための手段と
を備える、装置。
［Ｃ８５］
前記複数のダウンリンクリソース許可を送信するための前記手段が、前記複数のダウンリンクリソース許可に関係する１つまたは複数のフィードバックパラメータをさらに受信する、Ｃ８４に記載の装置。
［Ｃ８６］
前記１つまたは複数のフィードバックパラメータが、バンドルされたフィードバックパラメータを表すかどうかを判断するための手段をさらに備える、Ｃ８５に記載の装置。
［Ｃ８７］
生成するための前記手段が、複数のサブフレームにわたる複数のキャリア上の前記複数のダウンリンクリソース許可を生成する、Ｃ８４に記載の装置。
［Ｃ８８］
デバイスが複数のキャリア上でそれと通信することを可能にするために、少なくとも１つのコンピュータに、複数のダウンリンクリソース許可を作成させるためのコードと、    前記少なくとも１つのコンピュータに、前記複数のダウンリンクリソース許可の各々のダウンリンク割当てインデックス中の前記複数のダウンリンクリソース許可のうちの少なくとも１つのシーケンス番号または前記複数のダウンリンクリソース許可の総数を指定させるためのコードと、
前記少なくとも１つのコンピュータに、前記複数のダウンリンクリソース許可を前記デバイスに通信させるためのコードと
を備えるコンピュータ可読媒体
を備える、コンピュータプログラム製品。
［Ｃ８９］
前記コンピュータ可読媒体が、前記少なくとも１つのコンピュータに、前記複数のダウンリンクリソース許可に関係する１つまたは複数のフィードバックパラメータを受信させるためのコードをさらに備える、Ｃ８８に記載のコンピュータプログラム製品。
［Ｃ９０］
前記コンピュータ可読媒体が、前記少なくとも１つのコンピュータに、前記１つまたは複数のフィードバックパラメータが、バンドルされたフィードバックパラメータを表すかどうかを判断させるためのコードをさらに備える、Ｃ８９に記載のコンピュータプログラム製品。
［Ｃ９１］
前記少なくとも１つのコンピュータに、前記１つまたは複数のフィードバックパラメータが、バンドルされたフィードバックパラメータを表すかどうかを判断させるための前記コードが、前記１つまたは複数のフィードバックパラメータがその上で受信されたリソースに少なくとも部分的に基づいて、前記１つまたは複数のフィードバックパラメータが、バンドルされたフィードバックパラメータを表すかどうかを判断する、Ｃ９０に記載のコンピュータプログラム製品。
［Ｃ９２］
前記少なくとも１つのコンピュータに作成させるための前記コードが、複数のサブフレームにわたる前記複数のキャリア上の前記複数のダウンリンクリソース許可を作成する、Ｃ８８に記載のコンピュータプログラム製品。
［Ｃ９３］
デバイスがそれと通信することを可能にするために、複数のダウンリンクリソース許可を生成するダウンリンク許可作成構成要素と、
前記複数のダウンリンクリソース許可の各々のダウンリンク割当てインデックス中の前記複数のダウンリンクリソース許可のうちの少なくとも１つのシーケンス番号または前記複数のダウンリンクリソース許可の総数を示す許可パラメータ指定構成要素と、
前記複数のダウンリンクリソース許可を前記デバイスに送信する通信構成要素と
を備える、装置。
［Ｃ９４］
前記通信構成要素が、前記複数のダウンリンクリソース許可に関係する１つまたは複数のフィードバックパラメータを受信する、Ｃ９３に記載の装置。
［Ｃ９５］
前記１つまたは複数のフィードバックパラメータが、バンドルされたフィードバックパラメータを表すかどうかを検出するハイブリッド自動再送／要求（ＨＡＲＱ）バンドリング判断構成要素をさらに備える、Ｃ９４に記載の装置。
［Ｃ９６］
前記ＨＡＲＱバンドリング判断構成要素は、単一のフィードバックパラメータが前記複数のダウンリンクリソース許可に関係する複数のフィードバックリソースのうちの１つの上で受信されたことを判断したことに少なくとも部分的に基づいて、前記１つまたは複数のフィードバックパラメータが、バンドルされたフィードバックパラメータを表すかどうかを検出する、Ｃ９５に記載の装置。
［Ｃ９７］
前記ダウンリンク許可作成構成要素が、複数のサブフレームにわたる複数のキャリア上の前記複数のダウンリンクリソース許可を生成する、Ｃ９３に記載の装置。
【図１】
0005599872.tif 000002
【図２】
0005599872.tif 000003
【図３】
0005599872.tif 000004
【図４】
0005599872.tif 000005
【図５】
0005599872.tif 000006
【図６】
0005599872.tif 000007
【図７】
0005599872.tif 000008
【図８】
0005599872.tif 000009
【図９】
0005599872.tif 000010
【図１０】
0005599872.tif 000011
【図１１】
0005599872.tif 000012
【図１２】
0005599872.tif 000013
【図１３】
0005599872.tif 000014
【図１４】
0005599872.tif 000015
【図１５】
0005599872.tif 000016
【図１６】
0005599872.tif 000017